(57)【要約】【課題】柔軟なフィルタに補強用の縁やリブを設けることなく、フィルタ清掃時に、フィルタを滑らかに動作させることができるフィルタ清掃装置を備えた空調室内機を提供する。【解決手段】空調室内機２は、室内熱交換器１２の風上側に配置されたフィルタ２１を動作させてフィルタ２１に付着している塵埃を脱離させるフィルタ清掃装置７０を本体１０内に備えている。フィルタ２１は、環形状に成形され、所定の周回軌道を形成する支持枠４０に周回自在に支持されている。支持枠４０は、本体１０に着脱自在に保持されている。フィルタ２１は、縁およびリブが無くても支持枠４０によって所定形状が維持されるので、フィルタ２１と他の部材との干渉が抑制され、フィルタ２１の周回動作が滑らかである。【選択図】図１
2010197034.tif 000002
【特許請求の範囲】
【請求項１】
室内熱交換器（１２）の風上側に配置されたフィルタ（２１）を動作させて前記フィルタ（２１）に付着している塵埃を脱離させるフィルタ清掃装置（７０）を本体（１０）内に備えた空調室内機であって、
前記フィルタ（２１）は、環形状に成形され、所定の周回軌道を形成する枠に周回自在に支持され、
前記枠が、前記本体（１０）に着脱自在に保持されている、
空調室内機（２）。
【請求項２】
前記フィルタ清掃装置（７０）が、
前記フィルタ（２１）を少なくとも内側から支持する支持枠（４０）と、
前記フィルタ（２１）を支持した状態の前記支持枠（４０）を着脱自在に保持する第２支持枠（５０）と、
前記フィルタ（２１）を前記支持枠（４０）に沿って周回させる駆動機構（３０）と、
を有している、
請求項１に記載の空調室内機（２）。
【請求項３】
前記フィルタ清掃装置（７０）は、前記フィルタ（２１）のうちの前記室内熱交換器（１２）に近い側の面を前記室内熱交換器（１２）から離す方向へ押すフィルタ押し部材（５６）をさらに有している、
請求項２に記載の空調室内機（２）。
【請求項４】
前記支持枠（４０）は、前記フィルタ（２１）が前記環状形とは異なる第２環形状へ変形するように曲げられる関節部（４０ａ）を有し、
前記第２支持枠（５０）は、前記関節部（４０ａ）で曲げられた前記支持枠（４０）を保持する、
請求項３に記載の空調室内機（２）。
【請求項５】
前記支持枠（４０）が、
前記フィルタ（２１）の前記第２環形状の一端となる第１曲面を形成する第１曲面形成部（４１０）と、
前記フィルタ（２１）の前記第２環形状の他端となる第２曲面を形成する第２曲面形成部（４２０）と、
前記フィルタ（２１）の前記第１曲面と前記第２曲面との間に位置する第３曲面を形成する第３曲面形成部（４３０）と、
をさらに有している、
請求項４に記載の空調室内機（２）。
【請求項６】
前記第１曲面形成部（４１０）、前記第２曲面形成部（４２０）および前記第３曲面形成部（４３０）の少なくとも１つは、前記支持枠（４０）に回転自在に保持された回転体である、
請求項５に記載の空調室内機（２）。
【請求項７】
フィルタ（２１）を動作させて前記フィルタ（２１）に付着している塵埃を脱離させるフィルタ清掃装置（７０）を備えた空調室内機であって、
前記フィルタ（２１）は、環形状に成形されたフィルタであり、
前記フィルタ清掃装置（７０）が、
前記フィルタ（２１）を少なくとも内側から支持する支持枠（４０）と、
前記支持枠（４０）とともに前記フィルタ（２１）を内側から支持し、前記フィルタ（２１）に接触した状態で回転するローラー（４１）と、
前記ローラー（４１）を回転させる駆動部（３１）と、
を有し、
前記ローラー（４１）の形状が、中央に近づくほど直径が大きくなっている円柱形状である、
空調室内機（２）。
【請求項８】
フィルタ（２１）を動作させて前記フィルタ（２１）に付着している塵埃を脱離させるフィルタ清掃装置（７０）を備えた空調室内機であって、
前記フィルタ（２１）は、環形状に成形されたフィルタであり、
前記フィルタ清掃装置（７０）が、
前記フィルタ（２１）を少なくとも内側から支持する支持枠（４０，１４０）と、
前記支持枠（４０，１４０）とともに前記フィルタ（２１）を内側から支持し、前記フィルタ（２１）に接触した状態で回転するローラー（４１）と、
前記ローラー（４１）を回転させる駆動部（３１）と、
を有し、
前記ローラー（４１）の形状は円柱形状であって、前記ローラー（４１）に円周面に沿って溝（４１ａ）が形成されており、
前記溝（４１ａ）に嵌まり込む弾性部材（２１ａ）が前記フィルタ（２１）上に形成されている、
空調室内機（２）。
【請求項９】
前記溝（４１ａ）は、前記ローラー（４１）の前記円周面の中央部に形成され、
前記弾性部材（２１ａ）は、前記フィルタ（２１）の中央部に形成されている、
請求項８に記載の空調室内機（２）。
【請求項１０】
前記溝（４１ａ）は、前記ローラー（４１）の両端部に形成され、
前記弾性部材（２１ａ）は、前記フィルタ（２１）の両端部に形成されている、
請求項８に記載の空調室内機（２）。
【請求項１１】
フィルタ（２１）を動作させて前記フィルタ（２１）に付着している塵埃を脱離させるフィルタ清掃装置（７０）を備えた空調室内機であって、
前記フィルタ（２１）は、環形状に成形されたフィルタであり、
前記フィルタ清掃装置（７０）が、
前記フィルタ（２１）を少なくとも内側から支持する支持枠（４０）と、
前記支持枠（４０）とともに前記フィルタ（２１）を内側から支持し、前記フィルタ（２１）に接触した状態で回転するローラー（４１）と、
前記ローラー（４１）を回転させる駆動部（３１）と、
を有し、
前記ローラー（４１）が、
回転軸方向に重ねられる複数の小ローラー（４１１，４１２）と、
複数の前記小ローラーを連結するロック機構（４１４）と、
を含んでいる、
空調室内機（２）。
【請求項１２】
フィルタ（２１）を動作させて前記フィルタ（２１）に付着している塵埃を脱離させるフィルタ清掃装置（７０）を備えた空調室内機であって、
前記フィルタ（２１）は、環形状に成形されたフィルタであり、
前記フィルタ清掃装置（７０）が、
前記フィルタ（２１）を少なくとも内側から支持する支持枠（４０）と、
表面にパイル糸を有し前記表面が前記フィルタ（２１）に接触した状態で回転するローラー（４１）と、
前記ローラー（４１）を回転させる駆動部（３１）と、
を有している、
空調室内機（２）。
【請求項１３】
前記ローラー（４１）の表面に、パイル織りされた織物基布（９９）が貼り付けられている、
請求項７から請求項１２のいずれか１項に記載の空調室内機（２）。
【請求項１４】
フィルタ（２１）を動作させて前記フィルタ（２１）に付着している塵埃を脱離させるフィルタ清掃装置（７０）を備えた空調室内機であって、
前記フィルタ（２１）は、環形状に成形されたフィルタであり、
前記フィルタ清掃装置（７０）が、
前記フィルタ（２１）を少なくとも内側から支持する支持枠（４０）と、
前記支持枠（４０）とともに前記フィルタ（２１）を内側から支持し、前記フィルタ（２１）に接触した状態で回転するローラー（４１）と、
前記ローラー（４１）を回転させる駆動部（３１）と、
を有し、
前記ローラー（４１）の形状は円柱形状であり、
パイル織りされた織物基布（９９）が、前記ローラー（４１）の外周面の中央部から両端に向って、且つ前記ローラー（４１）の回転方向とは反対方向へ螺旋状に取り付けられている、
空調室内機（２）。
【請求項１５】
フィルタ（２１）を動作させて前記フィルタ（２１）に付着している塵埃を脱離させるフィルタ清掃装置（７０）を備えた空調室内機であって、
前記フィルタ（２１）は、環形状に成形されたフィルタであり、
前記フィルタ清掃装置（７０）が、
前記フィルタ（２１）を少なくとも内側から支持する支持枠（４０）と、
前記フィルタ（２１）を前記支持枠（４０）に沿って周回させる駆動部（３１）と、
を有し、
前記支持枠（４０）が、
回転自在に支持され、前記フィルタ（２１）の第１の曲り部を形成する第１ローラー（４１）と、
回転自在に支持され、前記第１ローラー（４１）から最も離れた前記フィルタ（２１）の第２の曲り部を形成する第２ローラー（４２）と、
前記第１ローラー（４１）と前記第２ローラー（４２）との間に位置し、前記フィルタ（２１）の対向する面同士で形成される隙間に介在する仕切り部材（４４）と、
を含み、
前記駆動部（３１）が、前記第１ローラー（４１）および前記第２ローラー（４２）の少なくとも１つを回転させる、
空調室内機（２）。
【請求項１６】
前記第１ローラー（４１）および前記第２ローラー（４２）の少なくとも１つは、表面に、パイル織りされた織物基布（９９）が貼り付けられている、
請求項１５に記載の空調室内機（２）。
【請求項１７】
フィルタ（２１）を動作させて前記フィルタ（２１）に付着している塵埃を脱離させるフィルタ清掃装置（７０）を備えた空調室内機であって、
前記フィルタ（２１）は、環形状に成形されたフィルタであり、
前記フィルタ清掃装置（７０）が、
前記フィルタ（２１）を少なくとも内側から支持する支持枠（４０）と、
前記フィルタ（２１）を前記支持枠（４０）に沿って周回させる駆動部（３１）と、
を有し、
前記支持枠（４０）が、
回転自在に支持され、前記フィルタ（２１）の第１の曲り部を形成する第１ローラー（４１）と、
回転自在に支持され、前記第１ローラー（４１）から最も離れた前記フィルタ（２１）の第２の曲り部を形成する第２ローラー（４２）と、
前記第１ローラー（４１）と前記第２ローラー（４２）との間に回転自在に支持され、前記フィルタ（２１）の対向する面同士で形成される隙間に介在する第３ローラー（４３）と、
を含み、
前記駆動部（３１）が、前記第１ローラー（４１）、前記第２ローラー（４２）および第３ローラー（４３）の少なくとも１つを回転させる、
空調室内機（２）。
【請求項１８】
前記第１ローラー（４１）、前記第２ローラー（４２）および第３ローラー（４３）の少なくとも１つは、表面に、パイル織りされた織物基布（９９）が貼り付けられている、
請求項１７に記載の空調室内機（２）。
【請求項１９】
室内熱交換器（１２）の風上側に配置されたフィルタ（２１）を動作させて前記フィルタ（２１）に付着している塵埃を脱離させるフィルタ清掃装置（７０）を備えた空調室内機であって、
前記フィルタ（２１）は、環形状に成形されたフィルタであり、
前記フィルタ清掃装置（７０）が、
前記フィルタ（２１）を少なくとも内側から支持する支持枠（４０）と、
前記フィルタ（２１）を支持した状態の前記支持枠（４０）を着脱自在に保持する第２支持枠（５０）と、
前記フィルタ（２１）を前記支持枠（４０）に沿って周回させる駆動部（３１）と、
前記フィルタ（２１）のうちの前記室内熱交換器（１２）の近い側の面を前記室内熱交換器（１２）から離す方向へ押す円柱状のフィルタ押し部材（５６）と、
前記フィルタ押し部材（５６）を回転可能に支持し、且つ前記フィルタ押し部材（５６）に所定トルクが作用したときに前記フィルタ押し部材（５６）の回転を許容するトルクリミッタ（５７）と、
を有している、
空調室内機（２）。
【請求項２０】
室内熱交換器（１２）の風上側に配置されたフィルタ（２１）を動作させて前記フィルタ（２１）に付着している塵埃を脱離させるフィルタ清掃装置（７０）を本体（１０）内に備えた空調室内機であって、
前記フィルタ（２１）は、環形状に成形され、前記フィルタ清掃装置（７０）内で所定の周回軌道を形成する枠（４０）に周回自在に支持され、
前記枠（４０）は、前記室内熱交換器（１２）と反対側の所定位置に取っ手（５８）を有しており、
前記取っ手（５８）を前記本体（１０）から離す方向へ引き出すことによって、前記フィルタ清掃装置（７０）、或は少なくとも前記枠（４０）が前記本体（１０）から取り外される、
空調室内機（２）。
【請求項２１】
フィルタ（２１）を動作させて前記フィルタ（２１）に付着している塵埃を脱離させるフィルタ清掃装置（７０）を備えた空調室内機であって、
前記フィルタ（２１）は、環形状に成形され、前記フィルタ清掃装置（７０）内で所定の周回軌道を形成する枠（４０）に周回自在に支持され、
前記フィルタ清掃装置（７０）は、前記枠（４０）と前記フィルタ（２１）との相対位置を検知するフィルタ検知センサ（４８）を有している、
空調室内機（２）。
【請求項２２】
前記フィルタ検知センサ（４８）は、前記フィルタ（２１）の両端近傍に配置されている、
請求項２１に記載の空調室内機（２）。
【請求項２３】
前記フィルタ検知センサ（４８）が、リミットスイッチである、
請求項２１又は請求項２２に記載の空調室内機（２）。
【請求項２４】
フィルタ（２１）を動作させて前記フィルタ（２１）に付着している塵埃を脱離させるフィルタ清掃装置（７０）を備えた空調室内機であって、
前記フィルタ（２１）は、環形状に成形され、前記フィルタ清掃装置（７０）内で所定の周回軌道を形成する枠（４０）に周回自在に支持され、
前記フィルタ清掃装置（７０）は、前記フィルタ（２１）を清掃するとき前記フィルタ（２１）を第１方向に周回させ、所定の時期に前記フィルタ（２１）を前記第１方向と反対の第２方向に周回させる、
空調室内機（２）。
【請求項２５】
フィルタ（２１）を動作させて前記フィルタ（２１）に付着している塵埃を脱離させるフィルタ清掃装置（７０）を備えた空調室内機であって、
前記フィルタ（２１）は、環形状に成形され、前記フィルタ清掃装置（７０）内で所定の周回軌道を形成する枠（４０）に周回自在に支持され、
前記フィルタ清掃装置（７０）は、
前記フィルタ（２１）を清掃するとき、前記フィルタ（２１）を第１方向に周回させ、
前記フィルタ（２１）の清掃が終了したとき、前記フィルタ（２１）を前記第１方向と反対の第２方向に周回させる、
空調室内機（２）。
【請求項２６】
フィルタ（２１）を動作させて前記フィルタ（２１）に付着している塵埃を脱離させるフィルタ清掃装置（７０）を備えた空調室内機であって、
前記フィルタ（２１）は、環形状に成形され、前記フィルタ清掃装置（７０）内で所定の周回軌道を形成する枠（４０）に周回自在に支持され、
前記フィルタ清掃装置（７０）は、
前記枠（４０）と前記フィルタ（２１）との相対位置を検知するフィルタ検知センサ（４８）を有し、
前記フィルタ（２１）を清掃するとき前記フィルタ（２１）を第１方向に周回させ、
前記フィルタ（２１）の清掃終了後に前記フィルタ検知センサが前記フィルタ（２１）の周回軸方向への偏りを検知したとき、前記フィルタ（２１）を前記第１方向と反対の第２方向に周回させて前記偏りを修正する、
空調室内機（２）。
【請求項２７】
前記フィルタ清掃装置（７０）は、前記フィルタ（２１）を前記第１方向に周回させた後、前記第２方向に周回させる動作を所定回数繰り返す、
請求項２４から請求項２６のいずれか１項に記載の空調室内機（２）。
【請求項２８】
前記フィルタ清掃装置（７０）は、前記フィルタ（２１）を前記第２方向に周回させるとき、前記第１方向に周回させるときの速度よりも速く周回させる、
請求項２４から請求項２７のいずれか１項に記載の空調室内機（２）。
【請求項２９】
空調室内機に搭載され、環形状のフィルタ（２１）を周回させて前記フィルタ（２１）に付着している塵埃を脱離させるフィルタ清掃装置の製造方法であって、
前記フィルタ（２１）は、帯状フィルタ材の両端部が接合されることによって環形状に成形され、前記環形状の内側に前記周回の軌道となる支持枠（４０）が挿入される、
フィルタ清掃装置（７０）の製造方法。
【請求項３０】
前記帯状フィルタ材の両端部が、縫い付けによって接合される、
請求項２９に記載のフィルタ清掃装置（７０）の製造方法。
【請求項３１】
前記帯状フィルタ材の両端部は、熱溶着によって接合される、
請求項２９に記載のフィルタ清掃装置（７０）の製造方法。
【請求項３２】
空調室内機に搭載され、環形状のフィルタ（２１）を周回させて前記フィルタ（２１）に付着している塵埃を脱離させるフィルタ清掃装置（７０）の製造方法であって、
前記フィルタ（２１）は、円筒状のフィルタ材が切断されることによって環形状に成形され、前記環形状の内側に前記周回の軌道となる支持枠（４０）が挿入される、
フィルタ清掃装置（７０）の製造方法。
【請求項３３】
空調室内機に搭載され、環形状のフィルタ（２１）を周回させて前記フィルタ（２１）に付着している塵埃を脱離させるフィルタ清掃装置（７０）の製造方法であって、
前記フィルタ（２１）は、環形状に織られ、或は環形状に編まれ、前記環形状の内側に前記周回の軌道となる支持枠（４０）が挿入される、
フィルタ清掃装置（７０）の製造方法。
【請求項３４】
環形状の前記フィルタ（２１）の開口端に沿って縫製用バイアステープが取り付けられている、
請求項２９から請求項３３のいずれか１項に記載のフィルタ清掃装置（７０）の製造方法。
【請求項３５】
前記帯状フィルタ材は、環形状に成形される前段階で、長手方向に延びる端に沿って縫製用バイアステープが取り付けられる、
請求項２９から請求項３２のいずれか１項に記載のフィルタ清掃装置（７０）の製造方法。
【請求項３６】
室内熱交換器（１２）の風上側に配置されたフィルタ（２１）を動作させて前記フィルタ（２１）に付着している塵埃を脱離させるフィルタ清掃装置（２７０）を本体（１０）内に備えた空調室内機であって、
前記フィルタ（２１）は環形状に成形されており、
前記フィルタ清掃装置（２７０）は、
前記フィルタ（２１）を内側から支持して前記フィルタ（２１）が周回する所定の周回軌道を形成する支持枠（２４０）と、
前記フィルタ（２１）を前記周回軌道に沿って周回させる駆動機構（２３０）と、
を含み、
前記支持枠（２４０）は、前記フィルタ（２１）の両端面に近接して対峙し且つ前記周回軌道に沿って間隔をあけて並ぶ複数の突起（２４３ｃ，２４４ｃ）を有している、
空調室内機（２）。
【請求項３７】
前記支持枠（２４０）のうち前記フィルタ（２１）の進行方向を反転させる方向転換部は、回転曲面（２４１０）または固定曲面（２４２０）であって、
少なくとも前記駆動機構（２３０）から遠い側の前記方向転換部は前記固定曲面（２４２０）である、
請求項３６に記載の空調室内機（２）。
【請求項３８】
前記駆動機構（２３０）は、
前記支持枠（２４０）とともに前記フィルタ（２１）を内側から支持し、前記フィルタ（２１）に接触した状態で回転するローラー（２４１）と、
前記フィルタ（２１）を挟んで前記ローラー（２４１）と反対側から前記フィルタ（２１）の湾曲面に近接して対峙する桟（２４６）と、
を含んでいる、
請求項３６に記載の空調室内機（２）。
【請求項３９】
前記フィルタ清掃装置（２７０）は、
前記室内熱交換器（１２）と反対側の所定位置に配置される取っ手（２５８）と、
前記フィルタ（２１）のうち前記室内熱交換器（１２）に近い側の面を前記室内熱交換器（１２）から離す方向へ押すフィルタ押し部材（２５６）と、
をさらに有し、
前記フィルタ押し部材（２５６）は、前記取っ手（２５８）に固定されており、前記取っ手（２５８）が前記支持枠（２４０）に取り付けられたとき前記フィルタ（２１）に接触し張力を与える、
請求項３６に記載の空調室内機（２）。
【請求項４０】
環形状のフィルタ（２１）を周回させて前記フィルタ（２１）に付着している塵埃を脱離させるフィルタ清掃装置（２７０）を備えた空調室内機であって、
前記フィルタ（２１）は、塵埃を除去するために網の目が所定サイズに織られ通気部（２１１）と、網の目が前記通気部（２１１）よりも密に織られている補強部（２１２）と、から成る、
空調室内機（２）。
【請求項４１】
前記フィルタ（２１）の前記補強部（２１２）が、少なくとも前記フィルタ（２１）の搬送方向と平行に延びる両端部に織られている、
請求項４０に記載の空調室内機（２）。
【請求項４２】
前記フィルタ清掃装置（２７０）は、前記フィルタ（２１）を支える支持枠（２４０）を有し、
前記支持枠（２４０）は、前記フィルタ（２１）の前記補強部（２１２）に直に接触して前記フィルタ（２１）を支える、
請求項４１に記載の空調室内機（２）。
【請求項４３】
前記支持枠（２４０）は、前記フィルタ（２１）の搬送方向と平行に延びる縦桟（２４５ａ）を含み、
前記フィルタ（２１）の前記補強部（２１２）が、前記縦桟（２４５ａ）と対峙する位置にさらに織られている、
請求項４２に記載の空調室内機（２）。
【請求項４４】
前記フィルタ（２１）の前記補強部（２１２）が、前記フィルタ（２１）の搬送方向と垂直に織られている、
請求項４０に記載の空調室内機（２）。
【請求項４５】
フィルタ（２１）を搬送させながら前記フィルタ（２１）に付着している塵埃を脱離させるフィルタ清掃装置（２７０）を備えた空調室内機であって、
前記フィルタ（２１）は、塵埃を除去するために網の目が所定サイズに織られ通気部（２１１）と、網の目が前記通気部（２１１）よりも密に織られている補強部（２１２）と、から成る、
空調室内機（２）。
【発明の詳細な説明】
【技術分野】
【０００１】
本発明は、空調室内機に関し、特に、フィルタに付着した塵埃を自動的に除去するフィルタ清掃装置を備えた空調室内機、およびそのフィルタ清掃装置の製造方法に関する。
【背景技術】
【０００２】
空調室内機は、例えば特許文献１（特開平６−１１４２２４号公報）及び特許文献２（特開平５−１８７６５４号公報）に示すように、環形状に成形されたフィルタを室内熱交換器の風上側に配置し、そのフィルタを周回させてフィルタに付着している塵埃を脱離させるフィルタ清掃装置を備えている。
【発明の概要】
【発明が解決しようとする課題】
【０００３】
しかしながら、特許文献１に記載のフィルタ清掃装置に使用されているフィルタは金属製であるため、樹脂製フィルタと比較して柔軟性に劣り、繰返しの周回運動に対する機械的耐久性も劣る。一方、特許文献２に記載の樹脂製フィルタは柔軟性に富むが、形状維持のために設けられる縁およびリブが他の部材と干渉して動作を妨げる可能性がある。
【０００４】
本発明の課題は、柔軟なフィルタに補強用の縁やリブを設けることなく、フィルタ清掃時に、フィルタを滑らかに動作させることができるフィルタ清掃装置を備えた空調室内機を提供することにある。
【課題を解決するための手段】
【０００５】
第１発明に係る空調室内機は、室内熱交換器の風上側に配置されたフィルタを動作させてフィルタに付着している塵埃を脱離させるフィルタ清掃装置を本体内に備えた空調室内機である。フィルタは、環形状に成形され、所定の周回軌道を形成する枠に周回自在に支持されている。枠は、本体に着脱自在に保持されている。
【０００６】
この空調室内機では、環形状に成形されたフィルタが枠で支持され、その枠は本体に着脱自在に保持されている。フィルタは、縁およびリブが無くても所定形状が維持されるので、フィルタと他の部材との干渉が抑制され、フィルタの周回動作が滑らかである。
【０００７】
第２発明に係る空調室内機は、第１発明に係る空調室内機であって、フィルタ清掃装置が、支持枠と、第２支持枠と、駆動機構とを有している。支持枠は、フィルタを少なくとも内側から支持する。第２支持枠は、フィルタを支持した状態の支持枠を着脱自在に保持する。駆動機構は、フィルタを支持枠に沿って周回させる。
【０００８】
この空調室内機では、環形状に成形されたフィルタを支持枠で内側から支持し、その支持枠を第２支持枠で保持する構成としているので、フィルタは縁およびリブが無くても支持枠によって所定形状に維持される。また、第２支持枠は支持枠を保持するだけなので、組立が容易であり、第２支持枠がフィルタの周回動作を妨げることもない。
【０００９】
第３発明に係る空調室内機は、第２発明に係る空調室内機であって、フィルタ清掃装置が、フィルタ押し部材をさらに有している。フィルタ押し部材は、フィルタのうちの室内熱交換器に近い側の面を室内熱交換器から離す方向へ押す。
【００１０】
この空調室内機では、フィルタの弛みが解消されるので、フィルタが室内熱交換器と接触することが防止される。
【００１１】
第４発明に係る空調室内機は、第３発明に係る空調室内機であって、支持枠が、フィルタが環状形とは異なる第２環形状へ変形するように曲げられる関節部を有している。第２支持枠は、関節部で曲げられた支持枠を保持する。
【００１２】
この空調室内機では、支持枠を関節部で屈曲させることによって、フィルタは屈曲した第２環形状に形成される。また、フィルタが第２環形状に形成されたときに生じる弛みが、フィルタ押し部材に押されて解消される。その結果、室内熱交換器が屈曲した形状であっても、その室内熱交換器の風上側形状に沿って、フィルタが配置されるようになり、設計自由度が高まる。
【００１３】
第５発明に係る空調室内機は、第４発明に係る空調室内機であって、支持枠が、第１曲面形成部と、第２曲面形成部と、第３曲面形成部とをさらに有している。第１曲面形成部は、フィルタの第２環形状の一端となる第１曲面を形成する。第２曲面形成部は、フィルタの第２環形状の他端となる第２曲面を形成する。第３曲面形成部は、フィルタの第１曲面と第２曲面との間に位置する第３曲面を形成する。
【００１４】
この空調室内機では、支持枠が、環形状のフィルタの一端を第１曲面で、他端を第２曲面で支持するので、フィルタの周回動作が滑らかに行われる。さらに、第３曲面が、第１曲面と第２曲面との間を移動するフィルタの面が内側へ撓むことを防止するので、フィルタの面同士が干渉することがない。
【００１５】
第６発明に係る空調室内機は、第５発明に係る空調室内機であって、第１曲面形成部、第２曲面形成部および第３曲面形成部の少なくとも１つが、支持枠に回転自在に保持された回転体である。
【００１６】
この空調室内機では、回転体とフィルタとが転がり接触するので、フィルタの周回動作がさらに滑らかになる。
【００１７】
第７発明に係る空調室内機は、フィルタを動作させてフィルタに付着している塵埃を脱離させるフィルタ清掃装置を備えた空調室内機であって、フィルタが、環形状に成形されている。フィルタ清掃装置は、支持枠と、ローラーと、駆動部とを有している。支持枠は、フィルタを少なくとも内側から支持する。ローラーは、支持枠とともにフィルタを内側から支持し、フィルタに接触した状態で回転する。駆動部は、ローラーを回転させる。ローラーの形状は、中央に近づくほど直径が大きくなっている円柱形状である。
【００１８】
この空調室内機では、ローラーの周速度は、中央に近づくほど速くなる。その結果、ローラーの外周面に接触するフィルタは、ローラー中央の遠心力によって中央に引っ張られるので、フィルタがローラーの一方の端へ偏ることが抑制される。
【００１９】
第８発明に係る空調室内機は、フィルタを動作させてフィルタに付着している塵埃を脱離させるフィルタ清掃装置を備えた空調室内機であって、フィルタが、環形状に成形されている。フィルタ清掃装置は、支持枠と、ローラーと、駆動部とを有している。支持枠は、フィルタを少なくとも内側から支持する。ローラーは、支持枠とともにフィルタを内側から支持し、フィルタに接触した状態で回転する。駆動部は、ローラーを回転させる。ローラーの形状は円柱形状であって、円周面に沿って溝が形成されている。フィルタ上には、溝に嵌まり込む弾性部材が形成されている。
【００２０】
この空調室内機では、ローラーが回転しフィルタが周回するとき、弾性部材が常にローラーの溝に嵌まるので、フィルタがローラーの一方の端へ偏ることが抑制される。
【００２１】
第９発明に係る空調室内機は、第８発明に係る空調室内機であって、溝が、ローラーの円周面の中央部に形成されている。弾性部材は、フィルタの中央部に形成されている。この空調室内機では、ローラーが回転しフィルタが周回するとき、弾性部材が常にローラーの溝に嵌まるので、フィルタがローラーの一方の端へ偏ることが抑制される。
【００２２】
第１０発明に係る空調室内機は、第８発明に係る空調室内機であって、溝が、ローラーの両端部に形成されている。弾性部材は、フィルタの両端部に形成されている。この空調室内機では、ローラーが回転しフィルタが周回するとき、弾性部材が常にローラーの溝に嵌まるので、フィルタがローラーの一方の端へ偏ることが抑制される。
【００２３】
第１１発明に係る空調室内機は、フィルタを動作させてフィルタに付着している塵埃を脱離させるフィルタ清掃装置を備えた空調室内機であって、フィルタが、環形状に成形されている。フィルタ清掃装置は、支持枠と、ローラーと、駆動部とを有している。支持枠は、フィルタを少なくとも内側から支持する。ローラーは、支持枠とともにフィルタを内側から支持し、フィルタに接触した状態で回転する。駆動部は、ローラーを回転させる。ローラーは、回転軸方向に重ねられる複数の小ローラーと、複数の小ローラーを連結するロック機構とを含んでいる。この空調室内機では、ローラーが分解可能となるので、ローラー及びフィルタのメンテナンスが容易になる。
【００２４】
第１２発明に係る空調室内機は、フィルタを動作させてフィルタに付着している塵埃を脱離させるフィルタ清掃装置を備えた空調室内機であって、フィルタが、環形状に成形されている。フィルタ清掃装置は、支持枠と、ローラーと、駆動部とを有している。支持枠は、フィルタを少なくとも内側から支持する。ローラーは、表面にパイル糸を有し表面がフィルタに接触した状態で回転する。駆動部は、ローラーを回転させる。
【００２５】
この空調室内機では、パイル糸がフィルタの網目にくい込んで摩擦力を高め、ローラー表面とフィルタとのすべりを抑制するので、フィルタへの動力伝達性能が高まる。
【００２６】
第１３発明に係る空調室内機は、第７発明から第１２発明のいずれか１つに係る発明であって、ローラーの表面に、パイル織りされた織物基布が貼り付けられている。
【００２７】
この空調室内機では、パイル糸がフィルタの網目にくい込んで摩擦力を高める。その結果、ローラー表面とフィルタとのすべりが抑制され、フィルタへの動力伝達性能が高まる。また、ローラーの表面にパイル織りされた織物基布が貼り付けられるだけで、動力伝達性能の高いローラーが出来上がるので、生産性が高い。
【００２８】
第１４発明に係る空調室内機は、フィルタを動作させてフィルタに付着している塵埃を脱離させるフィルタ清掃装置を備えた空調室内機であって、フィルタが、環形状に成形されている。フィルタ清掃装置は、支持枠と、ローラーと、駆動部とを有している。支持枠は、フィルタを少なくとも内側から支持する。ローラーは、支持枠とともにフィルタを内側から支持し、フィルタに接触した状態で回転する。駆動部は、ローラーを回転させる。ローラーの形状は円柱形状であり、パイル織りされた織物基布が、ローラーの外周面の中央部から両端に向って、且つローラーの回転方向とは反対方向へ螺旋状に取り付けられている。
【００２９】
この空調室内機では、ローラーの外周面に接触するフィルタの右半分は右に引っ張られ、左半分は左に引っ張られて均衡するので、フィルタがローラーの一方の端へ偏ることが抑制される。
【００３０】
第１５発明に係る空調室内機は、フィルタを動作させてフィルタに付着している塵埃を脱離させるフィルタ清掃装置を備えた空調室内機であって、フィルタが、環形状に成形されている。フィルタ清掃装置は、支持枠と駆動部とを有している。支持枠は、フィルタを少なくとも内側から支持する。駆動部は、フィルタを支持枠に沿って周回させる。また、支持枠は、第１ローラーと、第２ローラーと、仕切り部材とを含んでいる。第１ローラーは、回転自在に支持され、フィルタの第１の曲り部を形成する。第２ローラーは、回転自在に支持され、第１ローラーから最も離れたフィルタの第２の曲り部を形成する。仕切り部材は、第１ローラーと第２ローラーとの間に位置し、フィルタの対向する面同士で形成される隙間に介在する。駆動部が、第１ローラーおよび第２ローラーの少なくとも１つを回転させる。
【００３１】
この空調室内機では、フィルタの対向する面同士が周回動作中に揺れたときでも、その間に仕切り部材が介在しているので、フィルタの対向する面同士が干渉することが防止される。
【００３２】
第１６発明に係る空調室内機は、第１５発明に係る空調室内機であって、第１ローラーおよび第２ローラーの少なくとも１つは、表面に、パイル織りされた織物基布が貼り付けられている。
【００３３】
この空調室内機では、パイル糸がフィルタの網目にくい込んで摩擦力を高める。その結果、駆動側のローラー表面とフィルタとのすべりが抑制され、フィルタへの動力伝達性能が高まる。
【００３４】
第１７発明に係る空調室内機は、フィルタを動作させてフィルタに付着している塵埃を脱離させるフィルタ清掃装置を備えた空調室内機であって、フィルタが、環形状に成形されている。フィルタ清掃装置は、支持枠と駆動部とを有している。支持枠は、フィルタを少なくとも内側から支持する。駆動部は、フィルタを支持枠に沿って周回させる。また、支持枠は、第１ローラーと、第２ローラーと、第３ローラーとを含んでいる。第１ローラーは、回転自在に支持され、フィルタの第１の曲り部を形成する。第２ローラーは、回転自在に支持され、第１ローラーから最も離れたフィルタの第２の曲り部を形成する。第３ローラーは、第１ローラーと第２ローラーとの間に回転自在に支持され、フィルタの対向する面同士で形成される隙間に介在する。駆動部は、第１ローラー、第２ローラーおよび第３ローラーの少なくとも１つを回転させる。
【００３５】
この空調室内機では、フィルタの対向する面同士の間に第３ローラーが介在しているので、フィルタの対向する面同士が干渉することが防止される。
【００３６】
第１８発明に係る空調室内機は、第１７発明に係る空調室内機であって、第１ローラー、第２ローラーおよび第３ローラーの少なくとも１つが、表面に、パイル織りされた織物基布が貼り付けられている。
【００３７】
この空調室内機では、パイル糸がフィルタの網目にくい込んで摩擦力を高める。その結果、駆動側のローラー表面とフィルタとのすべりが抑制され、フィルタへの動力伝達性能が高まる。
【００３８】
第１９発明に係る空調室内機は、室内熱交換器の風上側に配置されたフィルタを動作させてフィルタに付着している塵埃を脱離させるフィルタ清掃装置を備えた空調室内機であって、フィルタが、環形状に成形されている。フィルタ清掃装置は、支持枠と、第２支持枠と、駆動部と、円柱状のフィルタ押し部材と、トルクリミッタとを有している。支持枠は、フィルタを少なくとも内側から支持する。第２支持枠は、フィルタを支持した状態の支持枠を着脱自在に保持する。駆動部は、フィルタを支持枠に沿って周回させる。フィルタ押し部材は、フィルタのうちの室内熱交換器の近い側の面を室内熱交換器から離す方向へ押す。トルクリミッタは、フィルタ押し部材を回転可能に支持し、且つフィルタ押し部材に所定トルクが作用したときにフィルタ押し部材の回転を許容する。
【００３９】
この空調室内機では、フィルタが周回動作を行うとき、フィルタ押し部材はフィルタと接触しているので、その摩擦力でフィルタ押し部材には回転トルクが発生する。その摩擦力が所定値を超えたときに回転トルクが所定トルクを上回るのでフィルタ押し部材が回転し、フィルタとフィルタ押し部材との摩擦力は一定に保たれる。この一定の摩擦力がフィルタに安定した張力を与えるので、フィルタの弛みの発生を抑制する。
【００４０】
第２０発明に係る空調室内機は、室内熱交換器の風上側に配置されたフィルタを動作させてフィルタに付着している塵埃を脱離させるフィルタ清掃装置を本体内に備えた空調室内機であって、フィルタが、環形状に成形され、フィルタ清掃装置内で所定の周回軌道を形成する枠に周回自在に支持されている。枠は、室内熱交換器と反対側の所定位置に取っ手を有している。取っ手が本体から離す方向へ引き出されることによって、フィルタ清掃装置、或は少なくとも枠が本体から取り外される。
【００４１】
この空調室内機では、使用者は、取っ手を介してフィルタ清掃装置、或は少なくとも枠を本体から取り外すことができるので、メンテナンス性が向上する。
【００４２】
第２１発明に係る空調室内機は、フィルタを動作させてフィルタに付着している塵埃を脱離させるフィルタ清掃装置を備えた空調室内機であって、フィルタが、環形状に成形され、フィルタ清掃装置内で所定の周回軌道を形成する枠に周回自在に支持されている。フィルタ清掃装置は、枠とフィルタとの相対位置を検知するフィルタ検知センサを有している。
【００４３】
この空調室内機では、フィルタが第１方向へ周回しているとき、枠の歪みなどによってフィルタが周回軸方向の一端側に偏る可能性がある。フィルタ検知センサは、枠とフィルタとの相対位置を検知するので、フィルタの周回軸方向への偏りをも検知することができる。その結果、フィルタの偏りを報知するための警告、及びフィルタの偏りを修正するための動作を行う場合の制御が容易になる。
【００４４】
第２２発明に係る空調室内機は、第２１発明に係る空調室内機であって、フィルタ検知センサが、フィルタの両端近傍に配置されている。この空調室内機では、フィルタの両端は他の部材との境界となるので、フィルタを検知する際の検知精度が高まる。
【００４５】
第２３発明に係る空調室内機は、第２１発明または第２２発明に係る空調室内機であって、フィルタ検知センサがリミットスイッチである。この空調室内機では、フィルタ検知センサが安価であり、設置が容易である。
【００４６】
第２４発明に係る空調室内機は、フィルタを動作させてフィルタに付着している塵埃を脱離させるフィルタ清掃装置を備えた空調室内機であって、フィルタが、環形状に成形され、フィルタ清掃装置内で所定の周回軌道を形成する枠に周回自在に支持されている。フィルタ清掃装置は、フィルタを清掃するときフィルタを第１方向に周回させ、所定の時期にフィルタを第１方向と反対の第２方向に周回させる。
【００４７】
この空調室内機では、フィルタが第１方向へ周回しているとき、枠の歪みなどによってフィルタが周回軸方向の一端側に偏る可能性があるので、所定の時期に反対の第２方向へ周回することによって、その偏りが修正される。
【００４８】
第２５発明に係る空調室内機は、フィルタを動作させてフィルタに付着している塵埃を脱離させるフィルタ清掃装置を備えた空調室内機であって、フィルタが、環形状に成形され、フィルタ清掃装置内で所定の周回軌道を形成する枠に周回自在に支持されている。フィルタ清掃装置は、フィルタを清掃するときフィルタを第１方向に周回させ、フィルタの清掃が終了したとき、フィルタを第１方向と反対の第２方向に周回させる。
【００４９】
この空調室内機では、フィルタが第１方向へ周回しているとき、枠の歪みなどによってフィルタが周回軸方向の一端側に偏る可能性があるので、フィルタが第１方向へ周回した後、反対の第２方向へ周回することによって、その偏りが修正される。
【００５０】
第２６発明に係る空調室内機は、フィルタを動作させてフィルタに付着している塵埃を脱離させるフィルタ清掃装置を備えた空調室内機であって、フィルタが、環形状に成形され、フィルタ清掃装置内で所定の周回軌道を形成する枠に周回自在に支持されている。フィルタ清掃装置は、枠とフィルタとの相対位置を検知するフィルタ検知センサを有している。また、フィルタ清掃装置は、フィルタを清掃するときフィルタを第１方向に周回させ、フィルタの清掃終了後にフィルタ検知センサがフィルタの周回軸方向への偏りを検知したとき、フィルタを第１方向と反対の第２方向に周回させて偏りを修正する。
【００５１】
この空調室内機では、フィルタ検知センサがフィルタの周回軸方向への偏りを検知するので、例えば、周回数でフィルタの偏りを推定する方式に比べて、信頼性が高い。
【００５２】
第２７発明に係る空調室内機は、第２４発明から第２６発明のいずれか１つに係る空調室内機であって、フィルタ清掃装置が、フィルタを第１方向に周回させた後、第２方向に周回させる動作を所定回数繰り返す。
【００５３】
この空調室内機では、フィルタの周回方向の反転が繰り返されることによって、フィルタの周回軸方向への振れが微調整されながら修正される。
【００５４】
第２８発明に係る空調室内機は、第２４発明から第２７発明のいずれか１つに係る空調室内機であって、フィルタ清掃装置が、フィルタを第２方向に周回させるとき、第１方向に周回させるときの速度よりも速く周回させる。この空調室内機では、フィルタの周回時間が短くなるので、その分、動作音の発生時間も短くなる。
【００５５】
第２９発明に係るフィルタ清掃装置の製造方法は、空調室内機に搭載され、環形状のフィルタを周回させてフィルタに付着している塵埃を脱離させるフィルタ清掃装置の製造方法であって、フィルタが、帯状フィルタ材の両端部が接合されることによって環形状に成形され、環形状の内側に周回の軌道となる支持枠が挿入される。
【００５６】
このフィルタ清掃装置の製造方法では、支持枠によってフィルタの形状が維持されるので、フィルタに補強用の縁、リブが不必要になる。その結果、縁やリブが他の部材に引っかかり停止する、という従来の問題が解消される。
【００５７】
第３０発明に係るフィルタ清掃装置の製造方法は、第２９発明に係るフィルタ清掃装置の製造方法であって、帯状フィルタ材の両端部が、縫い付けによって接合される。
【００５８】
このフィルタ清掃装置の製造方法では、接合部には、縫い目および結び目による突起が生じるが、その突起の高さを低く抑えられる。その結果、フィルタの周回動作中に接合部が他の部材に引っかかることが抑制され、動作の信頼性が高まる。
【００５９】
第３１発明に係るフィルタ清掃装置の製造方法は、第２９発明に係るフィルタ清掃装置の製造方法であって、帯状フィルタ材の両端部が、熱溶着によって接合される。
【００６０】
このフィルタ清掃装置の製造方法では、特別な接合部材を用いないので接合部に突起が生じない。その結果、フィルタの周回動作中に接合部が他の部材に引っかかることが抑制され、動作の信頼性が高まる。
【００６１】
第３２発明に係るフィルタ清掃装置の製造方法は、空調室内機に搭載され、環形状のフィルタを周回させてフィルタに付着している塵埃を脱離させるフィルタ清掃装置の製造方法であって、フィルタが、円筒状のフィルタ材が切断されることによって環形状に成形され、環形状の内側に周回の軌道となる支持枠が挿入される。
【００６２】
このフィルタ清掃装置の製造方法では、接合部が存在しないので、フィルタが周回動作中に他の部材に引っかかることはさらに抑制され、動作の信頼性が高まる。
【００６３】
第３３発明に係るフィルタ清掃装置の製造方法は、空調室内機に搭載され、環形状のフィルタを周回させてフィルタに付着している塵埃を脱離させるフィルタ清掃装置の製造方法であって、フィルタが、環形状に織られ、或は環形状に編まれ、環形状の内側に周回の軌道となる支持枠が挿入される。
【００６４】
このフィルタ清掃装置の製造方法では、接合部が存在しないので、フィルタが周回動作中に他の部材に引っかかることはさらに抑制され、動作の信頼性が高まる。
【００６５】
第３４発明に係るフィルタ清掃装置の製造方法は、第２９発明から第３３発明のいずれか１つに係るフィルタ清掃装置の製造方法であって、環形状のフィルタの開口端に沿って縫製用バイアステープが取り付けられている。このフィルタ清掃装置の製造方法では、フィルタの開口端から素材がほつれることが防止される。
【００６６】
第３５発明に係るフィルタ清掃装置の製造方法は、第２９発明から第３２発明のいずれか１つに係るフィルタ清掃装置の製造方法であって、帯状フィルタ材が、環形状に成形される前段階で、長手方向に延びる端に沿って縫製用バイアステープが取り付けられる。
【００６７】
このフィルタ清掃装置の製造方法では、縫製用バイアステープの取付作業は、環形状の段階で取り付けるよりも、帯状フィルタ材の段階で取り付ける方が作業性がよいので、製造コストが低減される。
【００６８】
第３６発明に係る空調室内機は、室内熱交換器の風上側に配置されたフィルタを動作させてフィルタに付着している塵埃を脱離させるフィルタ清掃装置を本体内に備えた空調室内機であって、フィルタが環形状に成形されている。フィルタ清掃装置は、支持枠と駆動機構とを含んでいる。支持枠は、フィルタを内側から支持してフィルタが周回する所定の周回軌道を形成する。駆動機構は、フィルタを周回軌道に沿って周回させる。また、支持枠は、フィルタの両端面に近接して対峙し且つその周回軌道に沿って間隔をあけて並ぶ複数の突起を有している。
【００６９】
この空調室内機では、環形状に成形されたフィルタが支持枠で形成された周回軌道を周回する際、フィルタの両端が複数の突起によって案内されるので、フィルタの蛇行が防止される。
【００７０】
第３７発明に係る空調室内機は、第３６発明に係る空調室内機であって、支持枠のうちフィルタの進行方向を反転させる方向転換部は、回転曲面または固定曲面であり、少なくとも駆動機構から遠い側の方向転換部は固定曲面である。この空調室内機では、部品点数が減り、低コストである。
【００７１】
第３８発明に係る空調室内機は、第３６発明に係る空調室内機であって、駆動機構が、ローラーと桟とを含んでいる。ローラーは、支持枠とともにフィルタを内側から支持し、フィルタに接触した状態で回転する。桟は、フィルタを挟んでローラーと反対側からフィルタの湾曲面に近接して対峙する。
【００７２】
フィルタのローラーと接触している部分は、進行方向に引っ張られる領域と進行方向に繰り出される領域とが隣接しており、繰り出される領域ではフィルタに作用する張力が低下してフィルタ２１が波打つ可能性が高い。この空調室内機では、フィルタを挟んでローターと反対側からフィルタの湾曲面に近接して対峙する桟が設けられている。波打ったフィルタは他の部材と接触する前に桟に接触するので、仮にローラーの近傍に別の可動部材が存在している場合でもフィルタが噛み込まれることがない。
【００７３】
第３９発明に係る空調室内機は、第３６発明に係る空調室内機であって、フィルタ清掃装置が取っ手とフィルタ押し部材とをさらに有している。取っ手は、室内熱交換器と反対側の所定位置に配置される。フィルタ押し部材は、フィルタのうち室内熱交換器に近い側の面を室内熱交換器から離す方向へ押す。フィルタ押し部材は、取っ手に固定されており、取っ手が支持枠に取り付けられたときフィルタに接触し張力を与える。
【００７４】
この空調室内機では、支持枠が本体或いはフィルタ清掃装置に装着される前段階でフィルタの弛みが解消されているので、フィルタが本体或いはフィルタ清掃装置に引っ掛かることが防止される。
【００７５】
第４０発明に係る空調室内機は、環形状のフィルタを周回させてフィルタに付着している塵埃を脱離させるフィルタ清掃装置を備えた空調室内機であって、フィルタが、通気部と補強部とから成る。通気部は、塵埃を除去するために網の目が所定サイズに織られている。補強部は、網の目が通気部よりも密に織られている。
【００７６】
この空調室内機では、フィルタが部分的に密に織られることによって、その部分の剛性が高まるのでフィルタが補強される。
【００７７】
第４１発明に係る空調室内機は、第４０発明に係る空調室内機であって、フィルタの補強部が、少なくともフィルタの搬送方向と平行に延びる両端部に織られている。この空調室内機では、フィルタの両端部が密に織られることによって、網目の端面からほつれることが防止される。
【００７８】
第４２発明に係る空調室内機は、第４１発明に係る空調室内機であって、フィルタ装置が、フィルタを支える支持枠を有している。支持枠は、フィルタの補強部に直に接触してフィルタを支える。この空調室内機では、補強部は、網目が密であるので、支持枠との摺動摩擦に対する耐久性があり、ほつれが防止される。
【００７９】
第４３発明に係る空調室内機は、第４２発明に係る空調室内機であって、支持枠が、フィルタの搬送方向と平行に延びる縦桟を含んでいる。フィルタの補強部は、縦桟と対峙する位置にさらに織られている。
【００８０】
この空調室内機では、補強部は網目が密に織られているので通気には不適であるが、支持枠の縦桟と対峙する位置は元々縦桟によって通気が阻害されている部分であるので、その部分が密に織られても、フィルタの性能を低下させることはない。
【００８１】
第４４発明に係る空調室内機は、第４０発明に係る空調室内機であって、フィルタの補強部が、フィルタの搬送方向と垂直に織られている。
【００８２】
この空調室内機では、フィルタは搬送方向と垂直な方向には張力が作用していないので、フィルタの両端部が中央側に寄って皺になり易いが、補強部がフィルタの搬送方向と垂直に織られていれば、補強部が両端部の中央寄りを阻止することができる。
【００８３】
第４５発明に係る空調室内機は、フィルタを搬送させながらフィルタに付着している塵埃を脱離させるフィルタ清掃装置を備えた空調室内機であって、フィルタが、通気部と補強部とから成る。通気部は、塵埃を除去するために網の目が所定サイズに織られている。補強部は、網の目が通気部よりも密に織られている。
【００８４】
この空調室内機では、フィルタは、部分的に密に織られることによってその部分の剛性が高まるのでフィルタが補強される。
【発明の効果】
【００８５】
第１発明に係る空調室内機では、フィルタは、縁およびリブが無くても所定形状が維持されるので、フィルタと他の部材との干渉が抑制され、フィルタの周回動作が滑らかである。
【００８６】
第２発明に係る空調室内機では、フィルタは、縁およびリブが無くても支持枠によって所定形状に維持される。また、組立が容易であり、第２支持枠がフィルタの周回動作を妨げることもない。
【００８７】
第３発明に係る空調室内機では、フィルタの弛みが解消されるので、フィルタが室内熱交換器と接触することが防止される。
【００８８】
第４発明に係る空調室内機では、室内熱交換器が屈曲した形状であっても、その室内熱交換器の風上側形状に沿って、フィルタが配置されるようになり、設計自由度が高まる。
【００８９】
第５発明に係る空調室内機では、フィルタの周回動作が滑らかに行われる。さらに、第１曲面と第２曲面との間を移動するフィルタの面が内側へ撓むことが防止されるので、フィルタの面同士が干渉することがない。
【００９０】
第６発明に係る空調室内機では、回転体とフィルタとが転がり接触するので、フィルタの周回動作がさらに滑らかになる。
【００９１】
第７発明に係る空調室内機では、ローラーの外周面に接触するフィルタは、ローラー中央の遠心力によって中央に引っ張られるので、フィルタがローラーの一方の端へ偏ることが抑制される。
【００９２】
第８発明から第１０発明のいずれか１つに係る空調室内機では、弾性部材が常にローラーの溝に嵌まるので、フィルタがローラーの一方の端へ偏ることが抑制される。
【００９３】
第１１発明に係る空調室内機では、ローラーが分解可能となるので、ローラー及びフィルタのメンテナンスが容易になる。
【００９４】
第１２発明に係る空調室内機では、パイル糸がフィルタの網目にくい込んで摩擦力を高め、ローラー表面とフィルタとのすべりを抑制するので、フィルタへの動力伝達性能が高まる。
【００９５】
第１３発明に係る空調室内機では、ローラー表面とフィルタとのすべりが抑制され、フィルタへの動力伝達性能が高まる。また、ローラーの表面にパイル織りされた織物基布が貼り付けられるだけで、動力伝達性能の高いローラーが出来上がるので、生産性が高い。
【００９６】
第１４発明に係る空調室内機では、ローラーの外周面に接触するフィルタの右半分は右に引っ張られ、左半分は左に引っ張られて均衡するので、フィルタがローラーの一方の端へ偏ることが抑制される。
【００９７】
第１５発明に係る空調室内機では、フィルタの対向する面同士の間に仕切り部材が介在しているので、フィルタの対向する面同士が干渉することが防止される。
【００９８】
第１６発明に係る空調室内機では、駆動側のローラー表面とフィルタとのすべりが抑制され、フィルタへの動力伝達性能が高まる。
【００９９】
第１７発明に係る空調室内機では、フィルタの対向する面同士の間に第３ローラーが介在しているので、フィルタの対向する面同士が干渉することが防止される。
【０１００】
第１８発明に係る空調室内機では、駆動側のローラー表面とフィルタとのすべりが抑制され、フィルタへの動力伝達性能が高まる。
【０１０１】
第１９発明に係る空調室内機では、一定の摩擦力がフィルタに安定した張力を与えるので、フィルタの弛みの発生を抑制する。
【０１０２】
第２０発明に係る空調室内機では、使用者は、取っ手を介してフィルタ清掃装置、或は少なくとも枠を本体から取り外すことができるので、メンテナンス性が向上する。
【０１０３】
第２１発明に係る空調室内機では、フィルタが第１方向へ周回しているとき、枠の歪みなどによってフィルタが周回軸方向の一端側に偏る可能性がある。フィルタ検知センサは、枠とフィルタとの相対位置を検知するので、フィルタの周回軸方向への偏りをも検知することができる。その結果、フィルタの偏りを報知するための警告、及びフィルタの偏りを修正するための動作を行う場合の制御が容易になる。
【０１０４】
第２２発明に係る空調室内機では、フィルタの両端は他の部材との境界となるので、フィルタを検知する際の検知精度が高まる。
【０１０５】
第２３発明に係る空調室内機では、フィルタ検知センサが安価であり、設置が容易である。
【０１０６】
第２４発明に係る空調室内機では、フィルタが第１方向へ周回しているとき、枠の歪みなどによってフィルタが周回軸方向の一端側に偏る可能性があるので、所定の時期に反対の第２方向へ周回することによって、その偏りが修正される。
【０１０７】
第２５発明に係る空調室内機では、フィルタが第１方向へ周回しているとき、枠の歪みなどによってフィルタが周回軸方向の一端側に偏る可能性があるので、フィルタが第１方向へ周回した後、反対の第２方向へ周回することによって、その偏りが修正される。
【０１０８】
第２６発明に係る空調室内機では、フィルタ検知センサがフィルタの周回軸方向への偏りを検知するので、例えば、周回数でフィルタの偏りを推定する方式に比べて、信頼性が高い。
【０１０９】
第２７発明に係る空調室内機では、フィルタの周回方向の反転が繰り返されることによって、フィルタの周回軸方向への振れが微調整されながら修正される。
【０１１０】
第２８発明に係る空調室内機では、フィルタの周回時間が短くなるので、その分、動作音の発生時間も短くなる。
【０１１１】
第２９発明に係るフィルタ清掃装置の製造方法では、縁やリブが他の部材に引っかかり停止する、という従来の問題が解消される。
【０１１２】
第３０発明または第３１発明に係るフィルタ清掃装置の製造方法では、フィルタの周回動作中に接合部が他の部材に引っかかることが抑制され、動作の信頼性が高まる。
【０１１３】
第３２発明または第３３発明に係るフィルタ清掃装置の製造方法では、接合部が存在しないので、フィルタが周回動作中に他の部材に引っかかることはさらに抑制され、動作の信頼性が高まる。
【０１１４】
第３４発明に係るフィルタ清掃装置の製造方法では、フィルタの開口端から素材がほつれることが防止される。
【０１１５】
第３５発明に係るフィルタ清掃装置の製造方法では、縫製用バイアステープの取付作業は、環形状の段階で取り付けるよりも、帯状フィルタ材の段階で取り付ける方が作業性がよいので、製造コストが低減される。
【０１１６】
第３６発明に係る空調室内機では、フィルタの両端が複数の突起によって案内されるので、フィルタの蛇行が防止される。
【０１１７】
第３７発明に係る空調室内機では、部品点数が減り、低コストである。
【０１１８】
第３８発明に係る空調室内機では、ローラーの近傍に別の可動部材が存在している場合でもフィルタが噛み込まれることがない。
【０１１９】
第３９発明に係る空調室内機では、支持枠が本体或いはフィルタ清掃装置に装着される前段階でフィルタの弛みが解消されているので、フィルタが本体或いはフィルタ清掃装置に引っ掛かることが防止される。
【０１２０】
第４０発明に係る空調室内機では、フィルタが部分的に密に織られることによって、その部分の剛性が高まるのでフィルタが補強される。
【０１２１】
第４１発明に係る空調室内機では、フィルタの両端部が密に織られることによって、網目の端面からほつれることが防止される。
【０１２２】
第４２発明に係る空調室内機では、補強部は、網目が密であるので、支持枠との摺動摩擦に対する耐久性があり、ほつれが防止される。
【０１２３】
第４３発明に係る空調室内機では、補強部は網目が密に織られているので通気には不適であるが、支持枠の縦桟と対峙する位置は元々縦桟によって通気が阻害されている部分であるので、その部分が密に織られても、フィルタの性能を低下させることはない。
【０１２４】
第４４発明に係る空調室内機では、フィルタは搬送方向と垂直な方向には張力が作用していないので、フィルタの両端部が中央側に寄って皺になり易いが、補強部がフィルタの搬送方向と垂直に織られていれば、補強部が両端部の中央寄りを阻止することができる。
【０１２５】
第４５発明に係る空調室内機では、フィルタは、部分的に密に織られることによってその部分の剛性が高まるのでフィルタが補強される。
【図面の簡単な説明】
【０１２６】
【図１】本発明の第１実施形態に係る空調室内機の断面図。
【図２】フィルタ清掃装置の分解斜視図。
【図３】フィルタ清掃装置の断面図。
【図４】支持枠を第１ローラーの回転中心軸に沿って切断したときの断面図
【図５】（ａ）第１変形例に係る空調室内機に使用される第１ローラーの斜視図。（ｂ）第１変形例に係る空調室内機に使用される他の第１ローラーの斜視図。
【図６】第２変形例に係る空調室内機に使用される第１ローラーの斜視図。
【図７】（ａ）第３変形例に係る空調室内機に使用される第１ローラーおよびフィルタの斜視図。（ｂ）第３変形例に係る空調室内機に使用される他の第１ローラーおよびフィルタの斜視図。
【図８】本発明の第２実施形態に係る空調室内機の断面図。
【図９】第１ローラーと第２ローラーとに支持されたフィルタを、第１ローラーの回転軸に沿って切断したときの斜視図。
【図１０】フィルタおよび案内リングの成形金型の内部を示す断面図。
【図１１】本発明の第３実施形態に係る空調室内機のフィルタ清掃装置の斜視図。
【図１２】図１１のフィルタ清掃装置の分解斜視図。
【図１３】図１１のＡ点がフィルタの進行方向と平行な平面によって切断されたときのフィルタ清掃装置の断面図。
【図１４】（ａ）規制部材が解除される前の第２支持枠の部分斜視図、（ｂ）規制部材が解除された後の第２支持枠の部分斜視図。
【図１５】（ａ）両端に補強部が織られているフィルタの斜視図、（ｂ）縦桟と対峙する位置に補強部が織られているフィルタの斜視図、（ｃ）補強部が搬送方向と垂直に織られているフィルタの斜視図。
【発明を実施するための形態】
【０１２７】
以下図面を参照しながら、本発明の実施形態について説明する。なお、以下の実施形態は、本発明の具体例であって、本発明の技術的範囲を限定するものではない。
【０１２８】
〔第１実施形態〕
＜空調室内機２＞
図１は、本発明の第１実施形態に係る空調室内機の断面図である。図１において、本体１０の外郭は、グリル１０ａと前面パネル１０ｂと背面板１０ｃとで構成されている。本体１０の内部には、フレーム１１、室内熱交換器１２、ファン１３、及びフィルタ２１が配置されている。
【０１２９】
室内熱交換器１２及びファン１３は、フレーム１１に取り付けられている。室内熱交換器１２は、通過する空気との間で熱交換を行う。ファン１３は、室内から取り込んだ空気を、室内熱交換器１２に当てて通過させた後、室内に吹き出す。
【０１３０】
フレーム１１の前面下部には、吹出口１５が設けられており、吹出口１５から吹き出される空気を案内する水平フラップ１７が、吹出口１５に設けられている。水平フラップ１７は、空気の吹出方向を変更したり、吹出口１５を開閉したりすることができる。
【０１３１】
グリル１０ａと室内熱交換器１２との間にはフィルタ２１が配置されており、室内熱交換器１２に向って流入してくる空気に含まれる塵埃を除去する。また、空調室内機２は、塵埃が付着したフィルタ２１を自動清掃するフィルタ清掃装置７０を備えている。以下、フィルタ清掃装置に関連する部材について図面を用いて説明する。
【０１３２】
＜フィルタ清掃装置７０＞
（フィルタ２１）
図２は、フィルタ清掃装置の分解斜視図である。図２において、フィルタ２１は、例えば、樹脂製の糸で平織りされた網であり、環形状に成形されている。なお、フィルタ２１の織り方は平織りに限定されるのではなく、綾織りなど他の織り方でもよい。フィルタ２１には、一般のフィルタに見られるような補強用の縁やリブが設けられていない。このため、フィルタ２１は自身で安定した形状を維持することができないので、支持枠４０がフィルタ２１を支持し、フィルタ２１に所定の環形状を形成させている。
【０１３３】
（支持枠４０）
図１、図２において、支持枠４０は、第１ローラー４１、第２ローラー４２及び第３ローラー４３を有している。第１ローラー４１及び第２ローラー４２は、フィルタ２１が細長い環となるように、フィルタ２１を内側から支えている。フィルタ２１が細長い環になるとき、最も接近して対向した面同士が接触する可能性があるので、第３ローラー４３が第１ローラー４１と第２ローラー４２との間に配置されている。その結果、フィルタ２１は、第１曲面形成部４１０、第２曲面形成部４２０および第３曲面形成部４３０を有する環形状を成すことができる。
【０１３４】
第１ローラー４１は、第２ローラー４２および第３ローラー４３よりも下方に位置し、その外径は第２ローラー４２および第３ローラー４３の外径よりも大きい。なお、第１ローラー４１の外径は、実施形態の構成によって左右されるので、必ずしも第２ローラー４２および第３ローラー４３の外径よりも大きいとは限らず、第２ローラー４２の外径が大きいほどフィルタ２１の周回が容易である場合には、第２ローラーの外径を第１ローラー４１および第３ローラー４３の外径より大きくすることも可能である。同様に、第３ローラー４３についても、第１ローラー４１および第２ローラー４２の外径より大きくすることが可能である。第１ローラー４１の外周面には、パイル織りされた織物基布が貼り付けられている。パイル織りとは、表面に短い繊維（パイル糸）が立つように織る方法であり、具体的には、衣類等に付着した糸屑や綿埃などを取り除く洋服ブラシの布部分がそれに相当する。
【０１３５】
第１ローラー４１の外周面に立つパイル糸はフィルタ２１の網目に入り込んでいるので、第１ローラー４１とフィルタ２１の間には滑りが生じ難くなっている。その結果、第１ローラー４１を回転させることによって、フィルタ２１が支持枠４０に沿って周回することができる。
【０１３６】
支持枠４０は、連結部材４５をさらに有している。連結部材４５は、第１ローラー４１、第２ローラー４２及び第３ローラー４３を所定の間隔で離して位置決めし、且つ、それらを回転自在に支持する。なお、第３ローラー４３の外側の端は連結部材４５で支持されているが、内側の端は仕切り部材４４で支持されている。第３ローラー４３と同様に、仕切り部材４４は、フィルタ２１の最も接近して対向する面同士が干渉することを防止している。
【０１３７】
連結部材４５は、第３ローラーを支持している位置近傍で折り曲げられるように、関節部４０ａを有している。支持枠４０は、関節部４０ａで折り曲げられた状態で、第２支持枠５０に装着される。
【０１３８】
（フィルタ検知センサ４８）
図１において、フィルタ検知センサ４８が、フィルタ２１の周回軸方向の両端部近傍に配置されている。フィルタ検知センサ４８は、支持枠４０とフィルタ２１との相対位置の変化を検知することができるならば、フィルタ２１に対して接触するタイプおよび接触しないタイプのいずれでもよい。本実施形態では、リミットスイッチを採用している。
【０１３９】
（第２支持枠５０）
図３は、フィルタ清掃装置の断面図である。図２、図３において、第２支持枠５０は収納部５１を有し、その収納部５１に支持枠４０の連結部材４５が挿入される。収納部５１は中央付近で屈曲した形状であり、連結部材４５が収納部５１に挿入されたとき、その屈曲した部分が連結部材４５の関節部４０ａに対応する。
【０１４０】
第２支持枠５０は、支持ローラー５２をさらに有している。支持ローラー５２は、第２支持枠５０の屈曲した部分に回転自在に取り付けられている。支持枠４０が連結部材４５を介して第２支持枠５０に保持されたとき、支持ローラー５２は室内熱交換器１２側からフィルタ２１に接触する。支持枠４０が屈曲したとき、フィルタ２１の室内熱交換器１２側の面が下方に垂れるが、支持ローラー５２がその面の垂れを防止する。
【０１４１】
しかしながら、支持ローラー５２は、フィルタ２１の垂れを防止しているだけであって、フィルタ２１の弛みを解消することはできない。そこで、フィルタ清掃装置７０は、フィルタ２１の弛みを解消するために、フィルタ押しローラー５６を有している。
【０１４２】
（フィルタ押しローラー５６）
フィルタ押しローラー５６は、第２支持枠５０の下部に回転自在に取り付けられている。支持枠４０の連結部材４５が第２支持枠５０の収納部５１に挿入されるとき、フィルタ押しローラー５６がフィルタ２１を室内熱交換器１２側から待ち受けており、フィルタ２１はフィルタ押しローラー５６に当たってから、さらに室内熱交換器１２に向かって移動する。その結果、フィルタ押しローラー５６がフィルタ２１を室内熱交換器１２から離す方向へ押し、その押された量に応じて弛みが減少する。
【０１４３】
（トルクリミッタ５７）
フィルタ押しローラー５６の回転軸には、トルクリミッタ５７が取り付けられている。フィルタ２１が周回をするとき、フィルタ押しローラー５６はフィルタ２１との摩擦力によって回転力が生じる。その回転力がトルクリミッタ５７の設定値よりも小さいとき、フィルタ押しローラー５６は回転することができないが、その回転力がトルクリミッタ５７の設定値を上回ったとき、フィルタ押しローラー５６は回転する。その結果、フィルタ２１が停止しているときに支持枠４０との間に僅かな弛みを有していても、フィルタ２１が周回するときには、フィルタ２１に一定の張力が作用する。逆に、フィルタ２１の停止中はフィルタ２１に張力が作用しないので、応力が緩和され、フィルタ２１の機械的寿命が延びるという効用がある。
【０１４４】
（取っ手５８）
取っ手５８は、支持枠４０に取り付けられ、フィルタ２１を挟んで第１ローラー４１と反対側に位置する。使用者は、空調室内機２の前面パネル１０ｂを開けて、取っ手５８を手前に引くことにとって、支持枠４０を第２支持枠５０から取り出すことができる。
【０１４５】
なお、支持枠４０と第２支持枠５０とが引き出されるように、取っ手５８を支持枠４０及び第２支持枠５０の両方に連結することも可能である。
【０１４６】
（駆動モータ３１）
駆動モータ３１は、ステッピングモータであり、収納部５１の下部側面に取り付けられ、駆動ギア３２を介して第１ローラー４１を回転させる。駆動ギア３２は、第１ローラー４１の回転軸端部に装着されており、支持枠４０が第２支持枠５０に保持されたとき、駆動モータ３１の出力ギア（図示せず）と噛み合う。
【０１４７】
（ダストボックス６０及びブラシ６１）
ブラシ６１は、フィルタ清掃用のブラシであり、フィルタ２１に付着した塵埃を掻き落すため、フィルタ２１を挟んで第１ローラー４１と対向している。ブラシ６１は、樹脂製の毛材が円柱状の芯に貼り付けられた形状であり、第２駆動モータ（図示せず）によってフィルタ２１の周回方向と反対方向に回転する。なお、ブラシ６１の製造方法は、毛材が円柱状の芯に貼り付けられる方法だけに限定されるのではなく、他の方法でもよい。例えば、円柱状の芯に毛材を直に植毛する方法でもよい。
【０１４８】
ブラシ６１によってフィルタ２１から掻き落された塵埃は、ブラシ６１の下方に位置するダストボックス６０内に溜まる。ダストボックス６０は本体１０から取り外すことができるので、ダストボックス６０内に塵埃が十分溜まったとき、使用者はダストボックス６０を本体１０から取り外して塵埃を捨てる。
【０１４９】
ブラシ６１はダストボックス６０の開口部に回転自在に取り付けられており、使用者が、ダストボックス６０を本体１０から取り出したとき、ブラシ６１も一緒に取り出されるので、使用者はダストボックス６０の清掃のときにブラシ６１のメンテナンスを行なうことができる。
【０１５０】
（支持枠４０と第１ローラー４１との組立方法）
図４は、支持枠を第１ローラーの回転中心軸に沿って切断したときの断面図である。図４において、第１ローラー４１および駆動ギア３２は、連結軸４１３によって支持枠４０に取り付けられる。第１ローラー４１、支持枠４０の連結部材４５および駆動ギア３２には連結軸４１３が貫通する軸穴が設けられている。説明の便宜上、支持枠４０の一方の連結部材４５を第１連結部材４５ａ、他方の連結部材４５を第２連結部材４５ｂとした場合、組立作業者は、連結軸４１３に第１連結部材４５ａ、第１ローラー４１、第２連結部材４５ｂおよび駆動ギア３２の順で挿入するだけである。
【０１５１】
また、連結軸４１３の端部には、径方向に突出する爪４１４ａと、端面から軸方向に切り込まれたスリット４１４ｂとが設けられている。爪４１４ａは、先端から中央方向に進むほど径が大きくなるように成形されており、最も大きい寸法は、連結部材４５、第１ローラー４１、および駆動ギア３２それぞれの軸穴径よりも僅かに大きいが、それらが挿入されるとき、爪４１４ａがスリット４１４ｂ側に撓むので、挿入が阻害されることはない。
【０１５２】
そして、駆動ギア３２が挿入されたとき、爪４１４ａの最大径の部分が駆動ギア３２の凹部３２ａに嵌り込むので、駆動ギア３２が連結軸４１３から外れなくなる。つまり、爪４１４ａとスリット４１４ｂとがロック機構４１４を構成している。分解するときは、爪４１４ａをスリット４１４ｂ側へ押し縮めて駆動ギア３２を連結軸４１３から抜き取り、他の部材も同様の方法で連結軸４１３から抜き取る。
【０１５３】
また、第１ローラー４１は、第１小ローラー４１１と第２小ローラー４１２とに分割可能である。つまり、第１ローラー４１の組立は、連結軸４１３に、第１連結部材４５ａ、第１小ローラー４１１、第２小ローラー４１２、第２連結部材４５ｂおよび駆動ギア３２が順に挿入されて完成する。第１小ローラー４１１と第２小ローラー４１２とは、対向する端面同士が凹と凸との組み合わせで嵌り込んでいるので、径方向に位置ずれすることはない。
【０１５４】
なお、連結軸４１３のうち、少なくとも第１ローラー４１及び駆動ギア３２と嵌合する部分は、空回りを防止するために、Ｄカット加工が施されている。
【０１５５】
（フィルタ２１の製造方法）
フィルタ２１は、先ず帯状フィルタが製作され、その帯状フィルタの長手方向の端部同士が接合されて環形状に成形される。接合方法としては、縫い合わせ、或いは熱溶着が選択される。前者は、接合部が細い糸で縫い合わされることによって、接合部の凹凸の高さが抑制されるので、フィルタ２１の周回動作が妨げられることはない。後者は、接合部が滑らかに仕上がるので、フィルタ２１の周回動作は前者よりも滑らかになる。
【０１５６】
また、フィルタ２１の他の製造方法として、フィルタ２１と同じ素材の糸で直接環形状に編んでいく方法もある。この場合、フィルタ２１に接合部が存在しないので、フィルタ２１の周回動作はさらに滑らかである。さらに、筒状に成形されたフィルタ材を必要幅に切断する方法もある。この場合でも、フィルタ２１に接合部が存在しないので、フィルタ２１の周回動作は滑らかである。
【０１５７】
（フィルタ清掃運転）
空調室内機２は、本体１０にフィルタ清掃装置７０を制御する制御部（図示せず）を内蔵している。制御部は、空調室内機２の運転時間をカウントしており、前回のフィルタ清掃運転からの累積運転時間が所定時間（例えば、１８時間）に到達したとき、ブラシ６１を回転させながら、フィルタ２１を所定回数（例えば、１回）だけ周回させる。
【０１５８】
その間、ブラシ６１とフィルタ２１とが相対移動するので、ブラシ６１の毛材がフィルタ２１の網目に入り込んで、その網目につまった塵埃を掻き出す。その塵埃は、ブラシ６１の下方に位置するダストボックス６０内に溜まる。なお、本実施形態に係る空調室内機２は、リモコン（図示せず）を使って強制的にフィルタ清掃運転を実行することもできる。
【０１５９】
フィルタ２１の周回速度は低速である（例えば、１回の周回動作に要する時間は約３分）ので、フィルタ２１が左右いずれかの端に極端に偏ることはないが、僅かな偏りの累積を抑制するため、フィルタ清掃装置７０は、フィルタ清掃運転が終了した後にフィルタ２１を清掃時とは反対の方向に周回させてその偏りを修正してもよい。さらに、本実施形態のようにフィルタ２１の両端近傍にフィルタ検知センサ４８を取り付け、フィルタ検知センサ４８がフィルタ２１の偏りを監視するのが好ましい。
【０１６０】
例えば、フィルタ２１の清掃終了後にフィルタ検知センサ４８がフィルタ２１の周回軸方向への偏りを検知したとき、フィルタ清掃装置７０は、フィルタ２１を清掃時の方向（以後、第１方向よとぶ）と反対の方向（以後、第２方向とよぶ）に周回させて偏りを修正する。さらに、フィルタ２１を第１方向に周回させた後、第２方向に周回させる動作を所定回数繰り返してもよい。なぜなら、フィルタ２１の周回方向の反転が繰り返されることによって、フィルタ２１の周回軸方向への振れが微調整されながら修正されるからである。さらに、フィルタ清掃装置７０は、フィルタ２１を第２方向に周回させるとき、第１方向に周回させるときの速度よりも速く周回させてもよい。フィルタ２１の周回時間が短くなるので、その分、動作音の発生時間も短くなる。
【０１６１】
一例として、フィルタ２１の第２方向の周回速度が、第１方向の周回速度の４倍となるように制御されてもよい。また、周回時の騒音を小さくするため、フィルタ２１が間歇的に静止しながら第２方向へ周回するように制御されることも可能である。
【０１６２】
なお、フィルタ２１の第２方向への周回動作につられてブラシ６１が逆回転し、ブラシ６１に付着している塵埃が再びフィルタ２１へ付着する可能性がある。しかし、フィルタ２１の第２方向への周回速度が第１方向への周回速度より速くなることによって、ブラシ６１がフィルタ２１の周回動作に追従することができなくなるので、ブラシ６１の塵埃がフィルタ２１へ再付着することは防止される。
【０１６３】
また、フィルタ２１の位置ずれ防止策としては上記以外にもあり、具体策を第１変形例、第２変形例および第３変形例で説明する。なお、変形例であるので、各部の名称および符号は上記実施形態と同一とする。
【０１６４】
＜第１変形例＞
図５（ａ）は第１変形例に係る空調室内機に使用される第１ローラーの斜視図であり、（ｂ）は第１変形例に係る空調室内機に使用される他の第１ローラーの斜視図である。図５（ａ）において、パイル織りされた織物基布９９の帯が、第１ローラー４１の中央部から両端に向かって螺旋状に貼り付けられている。螺旋の旋回方向は、第１ローラー４１の回転方向と反対である。
【０１６５】
第１変形例では、第１ローラー４１が回転するとき、その帯がフィルタ２１を中央部から両端部に向かって引っ張る。その結果、フィルタ２１には左右にほぼ均等に張力が作用し、フィルタ２１が第１ローラー４１のいずれか一方の端に偏ることが防止される。また、パイル織りされた織物基布９９は、帯状である必用はなく、図５（ｂ）に示すように、パイル織りされた織物基布９９の片を螺旋状に点在させてもよい。
【０１６６】
＜第２変形例＞
図６は、第２変形例に係る空調室内機に使用される第１ローラーの斜視図である。図６において、第１ローラー４１は、中央部の直径が両端部の直径よりも大きくなるように成形されている。第１ローラー４１が回転するとき、中央部の周速は両端部の周速より速く、フィルタ２１の中央に作用する遠心力は両端部に作用する遠心力よりも大きい。その結果、フィルタ２１は中央部に引っ張られ、いずれか一方の端部へ偏ることが防止される。
【０１６７】
＜第３変形例＞
図７（ａ）は第３変形例に係る空調室内機に使用される第１ローラーおよびフィルタの斜視図であり、（ｂ）は第３変形例に係る空調室内機に使用される他の第１ローラーおよびフィルタの斜視図である。図７（ａ）において、第１ローラー４１の中央部には、外周を一周する溝４１ａが形成されている。フィルタ２１の中央部には、内周を一周するように案内リング２１ａが取り付けられている。案内リング２１ａはエラストマなどの弾性材で成形され、フィルタ２１と一体成形されてもよい。フィルタ２１が支持枠４０に装着されるとき、案内リング２１ａが溝４１ａに嵌まり込む。その結果、第１ローラー４１が回転するとき、フィルタ２１は案内リング２１ａが溝に嵌っているので、フィルタ２１が第１ローラー４１のいずれか一方の端部へ偏ることが防止される。
【０１６８】
また、第１ローラー４１の溝４１ａが形成される場所は中央部だけではなく、図７（ｂ）に示すように、第１ローラー４１の両端部であってもよく、それに対応して案内リング２１ａもフィルタ２１の両端部それぞれに設けられる。
【０１６９】
（フィルタ２１のほつれ防止策）
フィルタ２１には、従来のフィルタのような縁が設けられていないので、フィルタ２１が端からほつれないように、フィルタ２１の端を加熱して素材の糸同士を溶着させておくのが好ましい。また、他のほつれ防止策を以下の第４変形例で説明する。
【０１７０】
＜第４変形例＞
環形状のフィルタ２１は、幅方向の端からほつれ出す可能性があるので、その端には縫製用バイアステープが取り付けられる。帯状フィルタ材を接合するタイプのフィルタ２１の場合、先に帯状フィルタ材に縫製用バイアステープを取り付けた後に、帯状フィルタ材の長手方向の両端を接合する。
【０１７１】
環形状に編まれたフィルタ２１、或いは筒状のフィルタ材からカットされたフィルタ２１の場合は、環形状の開口端（幅方向の端）に、直接、縫製用バイアステープが取り付けられる。
【０１７２】
＜特徴＞
（１）
空調室内機２では、フィルタ２１は、支持枠４０によって所定の環形状に維持されるので、補強用の縁およびリブを廃止することができる。
【０１７３】
（２）
空調室内機２では、フィルタ押しローラー５６が、フィルタ２１が屈曲したときに生じる弛みを解消するので、室内熱交換器１２の屈曲した形状に沿って、フィルタ２１が配置されるようになる。また、フィルタ押しローラー５６の回転軸にはトルクリミッタ５７が接続されているので、フィルタ２１の周回動作時に安定した張力が与えられる。
【０１７４】
（３）
空調室内機２では、第３ローラー４３と仕切り部材４４とによって、フィルタ２１の面同士が干渉することが防止されている。
【０１７５】
（４）
空調室内機２では、第１ローラー４１が分解可能であり、第１ローラー４１及びフィルタ２１のメンテナンスが容易である。
【０１７６】
（５）
空調室内機２では、第１ローラー４１表面のパイル糸がフィルタ２１の網目にくい込んで摩擦力を高め、第１ローラー４１表面とフィルタ２１とのすべりを抑制するので、フィルタ２１への動力伝達性能が高まる。
【０１７７】
（６）
空調室内機２では、取っ手５８が本体１０から離す方向へ引き出されることによって、支持枠４０が本体１０から取り外されるので、メンテナンス性がよい。
【０１７８】
（７）
空調室内機２では、フィルタ清掃装置７０は、フィルタ２１を清掃するときフィルタ２１を第１方向に周回させ、フィルタ２１の清掃終了後にフィルタ検知センサ４８がフィルタ２１の周回軸方向への偏りを検知したとき、フィルタ２１を第１方向と反対の第２方向に周回させて偏りを修正する。
【０１７９】
〔第２実施形態〕
以下、図面を用いて本発明の第２実施形態について説明する。但し、第１実施形態と同じ部品には同じ名称および符号を用い、詳細な説明を省略する。図８は、本発明の第２実施形態に係る空調室内機の断面図である。図８において、支持枠１４０は、第１ローラー４１と第２ローラー４２と湾曲部仕切り板１４４とによって、フィルタ２１を支持している。フィルタ２１は、細長い環を滑らかに湾曲させた形状であり、第１ローラー４１の回転によって、その環形状を維持したまま周回する。
【０１８０】
第２支持枠１５０は、支持枠１４０を着脱自在に保持するため、収納部１５１を有している。収納部１５１は、フィルタ２１の周回動作を妨げないように支持枠１４０を収納する。
【０１８１】
図９は、第１ローラーと第２ローラーとに支持されたフィルタを、第１ローラーの回転軸に沿って切断したときの斜視図である。図９において、フィルタ２１は、周回軸方向の端部に案内リング２１ａが固定されている。案内リング２１ａは、フィルタ２１の周回軸と並行なベルト部２１ｂと、ベルト部２１ｂから垂直に突出する凸部２１ｃとを有している。
【０１８２】
第１ローラー４１は溝４１ａを有しており、案内リング２１ａの凸部２１ｃがその溝４１ａに嵌まり込む。第２ローラー４２も溝４２ａを有しており、案内リング２１ａの凸部２１ｃがその溝４２ａに嵌まり込む。それゆえ、フィルタ２１が周回するとき案内リング２１ａの凸部２１ｃが第１ローラー４１の溝４１ａおよび第２ローラー４２の溝４２ａが嵌まり込んでいるので、フィルタ２１が周回軸方の端へ偏ることが防止される。
【０１８３】
案内リング２１ａは所定の形状に成形された後フィルタ２１に接着されるが、これ以外に、射出成形によって、フィルタ２１上に直接、案内リング２１ａを成形することもできる。この場合、フィルタ２１と案内リング２１ａとの構成は、図１０に示す構成にしてもよい。図１０は、フィルタおよび案内リングの成形金型の内部を示す断面図である。図１０において、ハッチング領域は金型であり、Ｌ字型の空白領域は案内リング２１ａが成形される空間である。フィルタ２１の端部に案内リング２１ａが成形された後、型２００がＳ方向へ移動する。凸部２１ｃの端面はパーティング・ライン（ＰＬ）上にあり、型２００のＳ方向への移動に対して、アンダー・カットにならないように配慮されている。
【０１８４】
〔第３実施形態〕
（フィルタ清掃装置２７０）
図１１は、本発明の第３実施形態に係る空調室内機のフィルタ清掃装置の斜視図である。また、図１２は、図１１のフィルタ清掃装置の分解斜視図である。図１１及び図１２において、フィルタ清掃装置２７０は、フィルタ２１を直接支持する支持枠２４０と、支持枠２４０を直接支持する第２支持枠２５０とを有している。
【０１８５】
（支持枠２４０）
支持枠２４０は、第１支持板２４３と、第２支持板２４４と、複数の補強棒２４５とを含んでいる。第１支持板２４３と第２支持板２４４とは、補強棒２４５によって、互いの端面が向かい合うように平行に離れて連結されている。第１支持板２４３は、長手方向の一端に、ローラー２４１の回転軸を支持する第１軸受２４３ａを有している。第１軸受２４３ａは、環形状であるが、環の一部が切り欠かれている。
【０１８６】
第１支持板２４３と同様に、第２支持板２４４も、長手方向の一端にローラー２４１の回転軸を支持する第２軸受２４４ａを有している。但し、第２軸受２４４ａは円環状であるが、第１軸受２４３ａのような切り欠きはない。
【０１８７】
なぜなら、ローラー２４１の回転軸の一端はローラーギア２３２が固定されており、ローラーギア２３２の歯先円径がローラー２４１の径より大きく、軸方向からの挿入が不可能であるが、ローラー２４１の回転軸の他端はローラーギア２３２がないので、軸方向からの挿入が可能である。その結果、ローラー２４１の回転軸のうちローラーギア２３２のない側の軸が第２軸受２４４ａに挿入されたのち、ローラーギア２３２のある側の軸が第１軸受２４３ａの切り欠きから挿入される。
【０１８８】
第１支持板２４３のもう一方の端、つまり、第１軸受２４３ａと反対側にある終端２４３ｂは、環形状のフィルタ２１が進行方向を反転させる方向転換部であるので、端面は滑らかな曲面に仕上げられている。同様に、第２支持板２４４のもう一方の端、つまり、第２軸受２４４ａと反対側にある終端２４４ｂも、環形状のフィルタ２１が進行方向を反転させる方向転換部であるので、端面は滑らかな曲面に仕上げられている。
【０１８９】
第１支持板２４３は、板幅のほぼ中央に、長手方向に沿って並ぶ複数の第１突起２４３ｃを有している。同様に、第２支持板２４４は、板幅のほぼ中央に、長手方向に沿って並ぶ複数の第２突起２４４ｃを有している。第１突起２４３ｃから第２突起２４４ｃまでの最短距離は、フィルタ２１の幅より少し大きく設定されている。したがって、環形状のフィルタ２１が支持枠２４０に掛け渡されたとき、フィルタ２１の端面は、第１突起２４３ｃ、第２突起２４４ｃと対峙する。
【０１９０】
第１支持板２４３のうち、フィルタ２１の端面近傍が載る部分を第１フィルタ受け部２４３ｄとよび、第１突起２４３ｃを挟んで第１フィルタ受け部２４３ｄと反対側の部分を第１案内部２４３ｅとよぶ。同様に、第２支持板２４４のうち、フィルタ２１の端面近傍が載る部分を第２フィルタ受け部２４４ｄとよび、第２突起２４４ｃを挟んで第２フィルタ受け部２４４ｄと反対側の部分を第２案内部２４４ｅとよぶ。
【０１９１】
複数の第１突起２４３ｃは、終端２４３ｂから第１軸受２４３ａの方向に一定間隔で並んでいるが、第１軸受２４３ａの一定距離手前で途切れている。また、第１突起２４３ｃと並んで延びる第１案内部２４３ｅも、第１突起２４３ｃの並びが途切れた位置で終端面となっている。つまり、第１案内部２４３ｅの終端面から第１軸受２４３ａまでの間に第１切り欠き部２４３ｆが形成されている。
【０１９２】
同様に、複数の第２突起２４４ｃは、終端２４４ｂから第２軸受２４４ａの方向に一定間隔で並んでいるが、第２軸受２４４ａの一定距離手前で途切れている。また、第２突起２４４ｃと並んで延びる第２案内部２４４ｅも、第２突起２４４ｃの並びが途切れた位置で終端面となっている。つまり、第２案内部２４４ｅの終端面から第２軸受２４４ａまでの間に第２切り欠き部２４４ｆが形成されている。
【０１９３】
（取っ手２５８）
取っ手２５８は、第１切り欠き部２４３ｆおよび第２切り欠き部２４４ｆに嵌め込まれて固定される。取っ手２５８は、ハンドル２５８ａと、固定部２５８ｂと、ローラー保持部２５８ｃとを有している。
【０１９４】
固定部２５８ｂは、ハンドル２５８ａの根元部分を形成し、第１切り欠き部２４３ｆおよび第２切り欠き部２４４ｆに嵌まり込む。ローラー保持部２５８ｃは、フィルタ２１を押して弛みを防止するテンションローラー２５６を保持する。
【０１９５】
取っ手２５８はテンションローラー２５６の両端を保持し、フィルタ２１が掛け渡された支持枠２４０の後方側から、取っ手２５８が第１切り欠き部２４３ｆ及び第２切り欠き部２４４ｆを通って前方側へ出る。取っ手２５８の固定部２５８ｂが第１切り欠き部２４３ｆ及び第２切り欠き部２４４ｆに位置決めされととき、テンションローラー２５６は、フィルタ２１を支持枠２４０側へ押した位置で停止する。その結果、フィルタ２１は、テンションローラー２５６によって弛みが解消され、支持枠２４０に周回可能に支持された状態となる。
【０１９６】
ハンドル２５８ａの側面はフィルタ２１の両端面に近接して対向するので、フィルタ２１が支持枠２４０を周回する際、フィルタ２１の両端が複数の第１突起２４３ｃ、複数の第２突起２４４ｃ、および取っ手２５８によって案内されるので、フィルタ２１の蛇行が防止される。
【０１９７】
補強棒２４５は棒状であれば板部材または円柱部材でよいが、フィルタ２１が掛け渡たされたときに、フィルタ２１が接触する部分は滑らかに仕上げられている。特に、第１支持板２４３の終端２４３ｂと第２支持板２４４の終端２４４ｂとを結ぶ補強棒は、フィルタ２１が進行方向を反転させる支持部材であるので、説明の便宜上、支持棒２４２と呼んで補強棒２４５と区別する。
【０１９８】
図１３は、図１１のＡ点がフィルタの進行方向と平行な平面によって切断されたときのフィルタ清掃装置の断面図である。図１３において、ローラー２４１は回転曲面２４１０によってフィルタ２１を支持しているが、支持棒２４２は滑らかな円周面に成形された固定曲面２４２０によってフィルタ２１を支持している。もちろん、支持棒２４２をローラーで構成してフィルタ２１を回転曲面で支持することは可能であるが、その場合、ローラーおよび軸受け等によって構造が大型化する。
【０１９９】
それゆえ、第３実施形態では、支持枠２４０がフィルタ２１を固定曲面２４２０で支持することによって小型化を実現している。また、支持棒２４２は、第１支持板２４３、第２支持板２４４、及び補強棒２４５と共に一体成形されるので構成が簡単で部品点数が減る。補強棒２４５は、第１支持板２４３と平行な棒２４５ａと、第１支持板２４３と直交する棒２４５ｂとで格子を形成しており、一定の強度を確保している。
【０２００】
（外側桟２４６）
図１３に示すように、外側桟２４６は、フィルタ２１を挟んでローラー２４１と反対側からフィルタ２１の湾曲面に近接して対峙している。フィルタ２１のローラー２４１と接触している部分は、進行方向に引っ張られる領域と進行方向に繰り出される領域とが隣接しており、繰り出される領域ではフィルタ２１に作用する張力が低下してフィルタ２１が波打つ可能性が高い。
【０２０１】
しかし、外側桟２４６が設けられることによって、波打ったフィルタ２１が他の部材と接触する前に外側桟２４６に接触するので、仮にローラー２４１の近傍に別の可動部材（例えば、第１実施形態のブラシ６１）が存在している場合でも、フィルタ２１が噛み込まれることがない。
【０２０２】
（規制部材２４９）
図１１及び図１２において、フィルタ清掃装置２７０には、支持枠２４０が第２支持枠２５０から外れることを防止するための規制部材２４９が設けられている。
【０２０３】
図１４（ａ）は規制部材が解除される前の第２支持枠の部分斜視図であり、（ｂ）は規制部材が解除された後の第２支持枠の部分斜視図である。図１４（ａ），（ｂ）において、規制部材２４９は、ヒンジ部２４９ａ、ヒンジレバー２４９ｂ及び規制レバー２４９ｃを含んでいる。
【０２０４】
ヒンジ部２４９ａは、支持枠２４０を挟むように第２支持枠２５０に取り付けられており、外側桟２４６の端面近傍に配置されている。ヒンジレバー２４９ｂは、ヒンジ部２４９ａと規制レバー２４９ｃとを繋いでおり、使用者がヒンジレバー２４９ｂをヒンジ部２４９ａの周りにスイングさせることによって、規制レバー２４９ｃはヒンジレバー２４９ｂの長さを半径とする円弧を描きながら回動する。
【０２０５】
規制レバー２４９ｃは、ローラー２４１の上方で且つフィルタ２１に近接する位置（以後、規制位置とよぶ）まで回動して停止する。また、規制レバー２４９ｃが規制位置から最も離れた位置が解除位置であり、解除位置における規制レバー２４９ｃは、外側桟２４６のフィルタ２１に対峙する面と同じ高さ、或はそれより下方に位置する。
【０２０６】
使用者は、支持枠２４０を第２支持枠２５０に装着した後、規制レバー２４９ｃを規制位置まで回動させる。これによって、支持枠２４０は第２支持枠２５０から引き出される方向に移動することができなくなる。また、支持枠２４０の第２支持枠２５０への装着が不完全であっても、使用者が規制レバー２４９ｃを規制位置まで移動させたときに規制レバー２４９ｃが規制位置に到達しないので、使用者は支持枠２４０が完全に装着されていないことを認識することができる。
【０２０７】
（第２支持枠２５０）
図１１および図１２において、第２支持枠２５０は、第１側板２５１、第２側板２５２、第３側板２５３、補強枠２５４、および端部取付板２５５を有している。第１側板２５１、第２側板２５２および第３側板２５３は平行にほぼ等間隔で並んでいる。補強枠２５４は、第１側板２５１と第２側板２５２との間、第２側板２５２と第３側板２５３との間に取り付けられる。端部取付板２５５は、第１側板２５１、第２側板２５２及び第３側板２５３の終端に各終端を覆うよう取り付けられる。
【０２０８】
第１側板２５１には、支持枠２４０の第１案内部２４３ｅを支持する案内溝２５１ａが設けられている。また、第１側板２５１の案内溝２５１ａがない側には３つのモータが取り付けられ、案内溝２５１ａがある側にギア列が取り付けられ、各モータの回転軸は第１側板２５１を貫通してギア列に連結されている。
【０２０９】
第２側板２５２には、支持枠２４０の第２案内部２４４ｅを支持する案内溝２５２ａと、支持枠２４０の第１案内部２４３ｅを支持する案内溝２５２ｂとが設けられている。案内溝２５２ａは第１側板２５１に対峙する側に設けられ、案内溝２５２ｂは案内溝２５２ａと反対側に設けられている。第３側板２５３には、支持枠２４０の第２案内部２４４ｅを支持する案内溝２５３ａが設けられている。案内溝２５３ａは、第２側板の案内溝２５２ｂに対峙している。
【０２１０】
案内溝２５１ａ、２５２ａ、２５２ｂ、２５３ａは２次曲線状に湾曲しており、その深さは第１案内部２４３ｅ及び第２案内部２４４ｅが完全に収まる程度の深さであり、長さは第１支持板２４３及び第２支持板２４４の長さより短く、第１突起２４３ｃ及び第２突起２４４ｃの配列長さにほぼ等しい。
【０２１１】
図１２に示すように、第１側板２５１に固定される３つのモータのうち、２つのモータがローラー２４１を回転させるローラー駆動モータ２３１であり、もう１つのモータがブラシ（図示せず）を回転させるブラシ駆動モータ２６３である。ブラシ駆動モータ２６３は、２つのローラー駆動モータ２３１の下方に配置されている。
【０２１２】
説明の便宜上、第１側板２５１と第２側板２５２とに支持されるローラー２４１を右ローラー２４１ａとよび、第２側板２５２と第３側板２５３とに支持されるローラー２４１を左ローラー２４１ｂとよぶ。下側のローラー駆動モータ２３１は、右ローラー２４１ａを回転させるため、ギア列２３１ａを介して右ローラー２４１ａのローラーギア２３２を回転させる。上側のローラー駆動モータ２３１は、左ローラー２４１ｂを回転させるため、ギア列２３１ｂおよび延長軸２３１ｃを介して左ローラー２４１ｂのローラーギア２３２を回転させる。このように、ローラー２４１、ローラーギア２３２およびローラー駆動モータ２３１が駆動機構２３０を構成している。
【０２１３】
ブラシ駆動モータ２６３は、延長軸２６３ａ及びギア列２６３ｂを介してブラシ（図示せず）を回転させる。
【０２１４】
補強枠２５４は、フィルタ２１の進行方向に沿う複数の連結棒２５４ａと、フィルタ２１の進行方向と直交する複数の補強棒２５４ｂとによって格子が形成されており、一定の強度が確保されている。そして、フィルタ２１が接触する可能性のある部分は、滑らかな曲面に仕上げられている。
【０２１５】
（支持枠２４０の脱着）
フィルタ２１が掛け渡された支持枠２４０の湾曲は、第２支持枠２５０に比べて小さいので、支持枠２４０を湾曲させながら第１案内部２４３ｅ及び第２案内部２４４ｅを第２支持枠２５０の案内溝２５１ａ，２５２ａ，２５２ｂ，２５３ａへ挿入する。支持枠２４０の複数の第１突起２４３ｃ及び複数の第２突起２４４ｃは、間隔をあけて並んでいるので、第１支持板２４３および第２支持板２４４が湾曲し易くなっており、支持枠２４０は容易に第２支持枠２５０へ装着される。第２支持枠２５０から支持枠２４０を取り出す場合、使用者は取っ手２５８のハンドル２５８ａを持って手前へ引くことによって、支持枠２４０が引き出される。したがって、メンテナンス性が良い。
【０２１６】
＜第３実施形態の特徴＞
空調室内機２では、支持枠２４０が、フィルタ２１の両端面に近接して対峙し且つフィルタ２１の周回軌道に沿って間隔をあけて並ぶ複数の第１突起２４３ｃ及び第２突起２４４ｃを有している。その結果、フィルタ２１が周回軌道を周回する際、フィルタ２１の両端が複数の第１突起２４３ｃ、第２突起２４４ｃによって案内されるので、フィルタ２１の蛇行が防止される。
【０２１７】
〔他の実施形態〕
第１実施形態または第２実施形態における第１ローラー４１、及び第３実施形態におけるローラー２４１は、表面にパイル織りされた織物基布（例えば、エチケットブラシのブラシ部分）が貼り付けられ、パイル糸がフィルタ２１の網目に入り込むことによってフィルタ２１との間に滑りが生じ難くなっている。この効果は、パイル糸に限られた効果ではなく、毛ブラシでも同様の効果が得られる。
【０２１８】
例えば、ローラー２４１の表面に毛ブラシの毛材が貼り付けられている場合、毛材がフィルタ２１の網目にくい込むので、ローラー２４１の駆動力がフィルタ２１に確実に伝達される。また、ローラー表面から毛先までの丈（以後、毛材の丈とよぶ）はパイル糸に比べて長いので、毛材の根元に塵埃がたまったときでも毛材はフィルタ２１の網目にくい込むことができる。
【０２１９】
また、毛材の丈は全て均一である必要はなく、一部の毛材の丈が他より長くてもよい。なぜなら、毛材がフィルタ２１の網目にくい込むときの抵抗を小さく抑えながら、フィルタ２１との噛み合いも確保される、という効果が得られるからである。
【０２２０】
＜第３実施形態の変形例＞
フィルタ２１には、従来のフィルタのような縁や補強リブなどが設けられていないので幅方向の端からほつれ易く、また、皺にもなり易い。そこで、第３実施形態の変形例では、フィルタ２１の織り方が部分的に変更されることによって、ほつれや皺が防止されている。
【０２２１】
図１５の（ａ）は両端に補強部が織られているフィルタの斜視図であり、（ｂ）は縦桟と対峙する位置に補強部が織られているフィルタの斜視図であり、（ｃ）は補強部が搬送方向と垂直に織られているフィルタの斜視図である。
【０２２２】
図１５（ａ）において、フィルタ２１は、通気部２１１と補強部２１２とを含んでいる。通気部２１１は、塵埃を除去するために網の目が所定サイズに織られている。補強部２１２は、通気部２１１の両端部に位置し、その網の目が通気部２１１よりも密に織られている。その結果、補強部２１２の剛性は通気部２１１より高まり、さらに、ほつれ難くなっている。
【０２２３】
なお、通気部２１１の両端部とは、フィルタ２１の搬送方向と平行に延びる両端部である。支持枠２４０は、補強部２１２に直に接触してフィルタ２１を支えるが、上記の通り、補強部２１２は、網目が密であるので支持枠２４０との摺動摩擦に対する耐久性がある。
【０２２４】
また、補強部２１２はフィルタ２１の両端部だけに限定される必要はなく、図１５（ｂ）に示すように、フィルタの両端から所定寸法離れた位置に織られてもよい。好ましくは、支持枠２４０の縦桟である棒２４５ａと対峙する位置が好ましい。なぜなら、補強部２１２は網目が密に織られているので通気には不適であるが、支持枠２４０の棒２４５ａと対峙する位置は、元々、棒２４５ａによって通気が阻害されている部分であるので、その部分が密に織られても、フィルタ２１の性能を低下させることはない。
【０２２５】
また、図１５（ｃ）に示すように、フィルタ２１の補強部２１２が、フィルタ２１の搬送方向と垂直に織られてもよい。フィルタ２１は搬送方向と垂直な方向には張力が作用していないので、フィルタ２１の両端部が中央側に寄って皺になり易い。しかし、補強部２１２がフィルタ２１の搬送方向と垂直に織られていれば、補強部２１２が両端部の中央寄りを阻止する。
【０２２６】
なお、フィルタ２１が部分的に密に織られることによってフィルタ２１が補強されるという方式は、環形状のフィルタ２１に限定して応用されるのではなく、平板状のフィルタにも応用可能である。
【産業上の利用可能性】
【０２２７】
以上のように、本発明によれば、フィルタ２１が滑らかに動作するようになるので、フィルタ自動清掃機能付きの空調室内機に有用である。
【符号の説明】
【０２２８】
２  空調室内機
１０  本体
１２  室内熱交換器
２１  フィルタ
２１ａ  案内リング（弾性部材）
３０，２３０  駆動機構
３１  駆動モータ
３２ａ  凹部（ロック機構）
４０，２４０  支持枠
４０ａ  関節部
４１  第１ローラー
４１ａ  溝
４２  第２ローラー
４３  第３ローラー
４４  仕切り部材
５０  第２支持枠
５６，２５６  フィルタ押しローラー（フィルタ押し部材）
５７  トルクリミッタ
７０，２７０  フィルタ清掃装置
９９  織物基布
２１１  通気部
２１２  補強部
２４１  ローラー
２４３ｃ  第１突起
２４４ｃ  第２突起
２４６  外側桟
２５８  取っ手
４１０  第１曲面形成部
４１１  第１小ローラー
４１２  第２小ローラー
４１４  ロック機構
４１４ａ  爪（ロック機構）
４２０  第２曲面形成部
４３０  第３曲面形成部
２４１０  回転曲面
２４２０  固定曲面
【先行技術文献】
【特許文献】
【０２２９】
【特許文献１】特開平６−１１４２２４号公報
【特許文献２】特開平５−１８７６５４号公報
【図１】
2010197034.tif 000003
【図２】
2010197034.tif 000004
【図３】
2010197034.tif 000005
【図４】
2010197034.tif 000006
【図５】
2010197034.tif 000007
【図６】
2010197034.tif 000008
【図７】
2010197034.tif 000009
【図８】
2010197034.tif 000010
【図９】
2010197034.tif 000011
【図１０】
2010197034.tif 000012
【図１１】
2010197034.tif 000013
【図１２】
2010197034.tif 000014
【図１３】
2010197034.tif 000015
【図１４】
2010197034.tif 000016
【図１５】
2010197034.tif 000017